(57)【要約】  パンチとパンチを収納する格納容器とを保持することができる手持ち式本体を用いる試料採取システム。試料識別リーダー及び物品ＩＤリーダーを使用して、物品及びパンチ又は格納容器のＩＤが読み取られる。試料の採取と物品ＩＤ及びパンチ／格納容器のＩＤの読取りとの間のタイミングを記録することができ、その時間が長すぎる場合、試料を無効であるか又はタンパリングリスクが高いものとして割り当てることができる。【選択図】図１
2019510230.tif 000002
【特許請求の範囲】
【請求項１】
動物から試料を採取して取り除くシステムであって、
Ａ）試料採取器であって、
ｉ．生体試料（以下、「試料」）を受け取りかつ格納することができる格納容器を収容するために使用されるように適合された格納容器ホルダーと、
ｉｉ．試料収集装置を収容するために使用されるように適合された試料収集装置ホルダーと、
ｉｉｉ．前記試料を採取すべき物品を収容するために、前記格納容器ホルダーと前記試料収集装置ホルダーとの間に設けられた試料除去領域と、
ｉｖ．前記試料収集装置ホルダーから試料収集装置を、前記物品から試料を取り除くように駆動して格納容器内に押し込むように適合されたアクチュエーターと、
を保持する手持ち式本体を備える試料採取器と、
Ｂ）リーダーユニットであって、
ｉ．前記収集装置及び／又は前記格納容器に関連する識別情報（以下、「試料情報」）を取り込むように適合された試料識別リーダーと、
ｉｉ．前記試料を採取すべき前記物品に関連する識別情報（以下、「動物ＩＤ」）を取り込むように適合された動物ＩＤリーダーと、
のうちの１つ以上を備えるリーダーユニットと、
を備える、システム。
【請求項２】
手持ち式本体であって、
ａ．生体試料（以下、「試料」）を受け取りかつ格納することができる格納容器を収容するために使用されるように適合された格納容器ホルダーと、
ｂ．試料収集装置を収容するために使用されるように適合された試料収集装置ホルダーと、
ｃ．前記試料を採取すべき物品を収容するために、前記格納容器ホルダーと前記試料収集装置ホルダーとの間に設けられた試料除去領域と、
ｄ．前記試料収集装置ホルダーから試料収集装置を、前記物品から試料を取り除くように駆動して格納容器内に押し込むように適合されたアクチュエーターと、
を保持する手持ち式本体と、
前記手持ち式本体に係合するリーダーユニットであって、
ｉ．前記収集装置及び／又は前記格納容器に関連する識別情報（以下、「試料情報」）を取り込むように適合された試料識別リーダーと、
ｉｉ．前記試料を採取すべき前記物品に関連する識別情報（以下、「動物ＩＤ」）を取り込むように適合された動物ＩＤリーダーと、
のうちの１つ以上を備えるリーダーユニットと、
を備える、試料採取器。
【請求項３】
前記リーダーユニットは、動物ＩＤ及び／又は試料情報を外部デバイスに送信する送信器を備える、請求項２に記載の試料採取器。
【請求項４】
前記リーダーユニットは、前記手持ち式本体に係合可能な形態であるとき、前記格納容器ホルダーを備える、請求項２又は３に記載の試料採取器。
【請求項５】
前記リーダーユニットは、前記手持ち式本体に係合可能な形態であるとき、前記格納容器ホルダーと前記収集装置ホルダーとを備える、請求項２〜４のいずれか一項に記載の試料採取器。
【請求項６】
前記格納容器ホルダー及び前記収集装置ホルダーのうちの少なくとも一方は、前記手持ち式本体に永久的に係合している、請求項２〜５のいずれか一項に記載の試料採取器。
【請求項７】
前記リーダーユニットは、前記手持ち式本体に係合可能な形態であるとき、前記試料採取器から取外し可能であり、基本ユニットと交換可能であり、該基本ユニットは、
Ａ）ａ．前記格納容器ホルダー、及び、
ｂ．前記収集装置ホルダー、
のうちの少なくとも一方、又は、
Ｂ）ａ．同様の格納容器ホルダー、及び、
ｂ．同様の収集装置ホルダー、
のうちの少なくとも一方、
を備える、請求項２〜６のいずれか一項に記載の試料採取器。
【請求項８】
前記リーダーユニットは試料識別リーダーを備え、該試料識別リーダーによって読み取られる前記試料情報は、前記収集装置及び／又は前記格納容器に関連する機械可読ＩＤ及び電子ＩＤのうちの１つ以上を含む、請求項２〜７のいずれか一項に記載の試料採取器。
【請求項９】
前記リーダーユニットは動物ＩＤリーダーを備え、該動物ＩＤリーダーによって読み取られる前記動物ＩＤは、前記試料を採取すべき前記物品に関連する機械可読ＩＤ及び電子ＩＤのうちの１つ以上を含む、請求項２〜８のいずれか一項に記載の試料採取器。
【請求項１０】
前記リーダーユニットは、試料識別リーダー及び動物ＩＤリーダーを備え、
各リーダーは、互換性のあるＥＩＤ通信によりそれぞれの識別情報を取り込むように構成されている、請求項２〜９のいずれか一項に記載の試料採取器。
【請求項１１】
前記試料リーダー及び前記タグリーダーは、ＥＩＤ通信に対して異なる周波数を利用する、請求項１０に記載の試料採取器。
【請求項１２】
前記リーダーユニットは、
ａ）試料情報を取り込むことと、
ｂ）動物ＩＤを取り込むことと、
ｃ）ｉ）試料採取される前記物品、
ｉｉ）試料採取の場所、
ｉｉｉ）試料採取手順、
のうちの１つ以上に関連する補助データを取得することと、
のうちの１つ以上に対して構成されたカメラを備える、請求項２〜１１のいずれか一項に記載の試料採取器。
【請求項１３】
前記リーダーユニットは位置追跡システムを備える、請求項２〜１２のいずれか一項に記載の試料採取器。
【請求項１４】
前記リーダーユニットは、
ａ）タイマー、及び／又は、
ｂ）タイムスタンプを取得し、記録し、及び／又は送信する手段、
を備える、請求項２〜１３のいずれか一項に記載の試料採取器。
【請求項１５】
前記リーダーユニットは動物ＩＤリーダーを備え、
前記リーダーユニットは、
ａ）前記動物ＩＤを取り込むことと前記試料を採取することとの間、及び／又は、
ｂ）前記試料を採取することと前記動物ＩＤを取り込むこととの間、
の時間を測定し及び／又は記録して、該測定された及び／又は記録された時間を所定時間と比較するように構成されている、請求項２〜１４のいずれか一項に記載の試料採取器。
【請求項１６】
前記測定された及び／又は記録された時間が前記所定時間を超える場合、前記試料採取器又は前記リーダーユニットは、聴覚、視覚又は触覚フィードバックを提供する、請求項１５に記載の試料採取器。
【請求項１７】
前記測定された及び／又は記録された時間が前記所定時間を超える場合、前記試料採取器又は前記リーダーユニットは、ユーザーに対して新たな試料を採取するように促す、請求項１５又は１６に記載の試料採取器。
【請求項１８】
前記測定された及び／又は記録された時間が前記所定時間を超える場合、前記試料採取器は、前記アクチュエーター（複数の場合もある）が作動するのを阻止することにより動作停止する、請求項１５〜１７のいずれか一項に記載の試料採取器。
【請求項１９】
前記測定された及び／又は記録された時間が前記所定時間を超える場合、前記試料採取器は、前記試料に関連する警告データタグを記録する、請求項１５〜１８のいずれか一項に記載の試料採取器。
【請求項２０】
前記所定時間は約２秒間〜２０秒間である、請求項１５〜１８のいずれか一項に記載の試料採取器。
【請求項２１】
前記リーダーユニットはタグリーダーを備え、
前記リーダーユニットは、前記動物ＩＤが取り込まれる時点でタイムスタンプを記録し、
前記リーダーユニットは、前記試料が採取される時点で別のタイムスタンプを記録する、請求項２〜２０のいずれか一項に記載の試料採取器。
【請求項２２】
試料採取器を用いて、物品から生体試料を採取し、該試料を格納容器内に配置する方法であって、前記試料採取器は、
前記生体試料（以下、「試料」）を受け取る格納容器を収容するために使用されるように適合された格納容器ホルダーと、
試料収集装置を収容するために使用されるように適合された試料収集装置ホルダーと、
前記試料を採取すべき物品を収容するために、前記格納容器ホルダーと前記試料収集装置ホルダーとの間に設けられた試料除去領域と、
前記試料収集装置ホルダーから前記試料収集装置を、前記物品から前記試料を取り除くように駆動して前記格納容器内に押し込むように適合されたアクチュエーターと、
前記試料を採取すべき前記物品に関連する識別情報（以下、「物品ＩＤ」）を取り込むように適合されたＩＤリーダーと、
を提示する手持ち式本体を備え、該方法は、
ａ）前記試料採取器に、前記格納容器ホルダー及び前記試料収集装置ホルダーそれぞれにおいて格納容器及び試料収集装置を提供することと、
ｂ）前記物品から試料を取り除くように前記アクチュエーターを駆動することと、
ｃ）前記物品ＩＤを取り込むことと、
を含み、
ステップ（ｂ）がステップ（ｃ）の前に発生するか後に発生するかに関わらず、ステップ（ｂ）とステップ（ｃ）との間の時間（以下、「試料採取時間」）がモニタリングされ、及び／又はステップ（ｂ）及びステップ（ｃ）の各々の時点がタイムスタンプとして記録される、方法。
【請求項２３】
試料採取器を用いて、物品から試料を採取し、該試料を格納容器内に配置する方法であって、前記試料採取器は、
生体試料（以下、「試料」）を受け取る格納容器を収容するために使用されるように適合された格納容器ホルダーと、
試料収集装置を収容するために使用されるように適合された試料収集装置ホルダーと、
前記試料を採取すべき前記物品を収容するために、前記格納容器ホルダーと前記試料収集装置ホルダーとの間に設けられた試料除去領域と、
前記試料収集装置ホルダーから前記試料収集装置を、前記物品から前記試料を取り除くように駆動して前記格納容器内に押し込むように適合されたアクチュエーターと、
前記試料を採取すべき前記物品に関連する識別情報（以下、「物品ＩＤ」）を取り込むように適合されたＩＤリーダーと、
を提示する手持ち式本体を備え、該方法は、
ａ）前記試料採取器に、前記格納容器ホルダー及び前記試料収集装置ホルダーそれぞれにおいて格納容器及び試料収集装置を提供することと、
ｂ）前記物品から試料を取り除くように前記アクチュエーターを駆動することと、
ｃ）前記物品ＩＤを取り込むことと、
を含み、
ステップ（ｂ）がステップ（ｃ）の前に発生するか後に発生するかに関わらず、ステップ（ｂ）とステップ（ｃ）との間の時間（以下、「試料採取時間」）がモニタリングされ、及び／又はステップ（ｂ）及びステップ（ｃ）の各々の時点がタイムスタンプとして記録される、方法。
【請求項２４】
前記試料採取時間は所定制限時間と比較される、請求項２３に記載の方法。
【請求項２５】
前記試料採取時間が前記所定制限時間より長い場合、ユーザーに対して聴覚、視覚及び触覚フィードバックのうちの少なくとも１つを提供することを更に含む、請求項２４に記載の方法。
【請求項２６】
前記試料採取時間が前記所定制限時間より長い場合、前記ユーザーに対して前記試料採取プロセスを再開するように促すことを更に含む、請求項２４又は２５に記載の方法。
【請求項２７】
ステップ（ｂ）がステップ（ｃ）の後に発生する場合に前記試料採取時間がモニタリングされ、それにより、該試料採取時間が前記所定制限時間を超えた場合、前記アクチュエーターの前記駆動が前記試料採取器によって阻止される、請求項２４〜２６のいずれか一項に記載の方法。
【請求項２８】
前記試料採取時間が前記所定制限時間より長く、かつ前記試料採取器が、前記アクチュエーター（複数の場合もある）が作動するのを阻止することにより動作停止する場合、前記ユーザーは、前記試料採取器を再起動するために、ユーザーログイン詳細を入力すること及びユーザー認証情報を取り込むことのうちの１つ以上を含む１つ以上の認可ステップを行い、及び／又は前記試料採取プロセスを再開しなければならない、請求項２７に記載の方法。
【請求項２９】
前記試料採取時間が前記それぞれの所定制限より長い場合、前記試料に関連付けられた警告データタグを記録し又は割り当てることを更に含む、請求項２３〜２８のいずれか一項に記載の方法。
【請求項３０】
前記警告データタグは前記物品ＩＤに関連付けられる、請求項２９に記載の方法。
【請求項３１】
前記警告データタグは、前記収集装置及び前記格納容器の両方のうちの一方によって所持される情報に関連付けられる、請求項２９又は３０に記載の方法。
【請求項３２】
ステップ（ｂ）及びステップ（ｃ）が発生する時点がタイムスタンプとして記録され、該記録されたタイムスタンプは前記試料に関連付けられる、請求項２３〜３１のいずれか一項に記載の方法。
【請求項３３】
前記タイムスタンプは、好ましくは別個の記憶装置において、及び／又は前記手持ち式本体に関連する記憶装置において、記録され、前記収集装置及び前記格納容器のうちの一方又は両方によって所持される情報に関連付けられる、請求項３２に記載の方法。
【請求項３４】
前記タイムスタンプは、好ましくは別個の記憶装置において、及び／又は前記手持ち式本体に関連する記憶装置において、前記物品ＩＤに関連付けられる、請求項３２又は３３に記載の方法。
【請求項３５】
前記収集装置が、前記収集装置ホルダーから押し出され、前記物品から前記試料を取り除くように駆動される際、該収集装置に関連する識別情報（以下、「試料情報」）を取り込むことであって、前記試料を採取する時点は、前記試料情報の前記取込みに対応することを更に含む、請求項２３〜３４のいずれか一項に記載の方法。
【請求項３６】
試料採取器であって、
ａ．生体物品から生体試料（以下、「試料」）を受け取りかつ格納することができる格納容器を保持することができ、
ｂ．試料収集装置を、前記格納容器及び該試料収集装置の中間で、前記試料を取り除くべき前記物品の部分を収容するために十分なサイズの前記格納容器から間隙によって分離されるように保持することができる、
場所において試料採取領域を画定する手持ち式本体を備え、
前記手持ち式本体は、前記試料収集装置を、前記間隙の一方の側から該間隙を横切り、前記物品から前記試料を取り除くように駆動し、前記格納容器内に押し込むように適合されたアクチュエーターを支持する、試料採取器と、
前記手持ち式本体に取外し可能に係合可能なリーダーユニットであって、
ａ．前記収集装置及び／又は前記格納容器に関連する識別情報（以下、「試料情報」）を取り込むように適合された試料識別リーダーと、
ｂ．前記試料を採取すべき前記物品に関連する識別情報（以下、「物品ＩＤ」）を取り込むように適合された物品ＩＤリーダーと、
のうちの１つ以上を備えるリーダーユニットと、
を備え、
第１の使用モードでは、前記試料採取器は、前記リーダーユニットが前記手持ち式本体に係合した状態で、前記格納容器を保持することができる前記間隙の一方の側における格納容器保持領域と、前記試料収集装置を保持することができる試料収集装置保持領域とを提示し、
第２の使用モードでは、前記試料採取器は、前記リーダーユニットが前記手持ち式本体に係合していない状態で、前記格納容器を保持することができる前記間隙の一方の側における格納容器保持領域と、前記試料収集装置を保持することができる試料収集装置保持領域とを提示する、試料採取システム。
【請求項３７】
試料採取器であって、
ａ．生体物品から生体試料（以下、「試料」）を受け取りかつ格納することができる格納容器を保持することができ、
ｂ．試料収集装置を、前記格納容器及び該試料収集装置の中間で、前記試料を取り除くべき前記物品の部分を収容するために十分なサイズの前記格納容器から間隙によって分離されるように保持することができる、
場所において試料採取領域を画定する手持ち式本体を備え、
前記手持ち式本体は、前記試料収集装置を、前記間隙の一方の側から該間隙を横切り、前記物品から前記試料を取り除くように駆動し、前記格納容器内に押し込むように適合されたアクチュエーターを支持する、試料採取器と、
前記手持ち式本体に取外し可能に係合可能な、又は該手持ち式本体から離れているが近接して位置することができるリーダーユニットであって、
ａ．前記収集装置及び／又は前記格納容器に関連する識別情報（以下、「試料情報」）を取り込むように適合された試料識別リーダーと、
ｂ．前記試料を採取すべき前記物品に関連する識別情報（以下、「物品ＩＤ」）を取り込むように適合された物品ＩＤリーダーと、
のうちの１つ以上を備えるリーダーユニットと、
を備え、
第１の使用モードでは、前記試料採取器は、前記リーダーユニットが前記手持ち式本体に係合した状態で、前記格納容器を保持することができる前記間隙の一方の側における格納容器保持領域と、前記試料収集装置を保持することができる試料収集装置保持領域とを提示し、
第２の使用モードでは、前記試料採取器は、前記リーダーユニットが前記手持ち式本体に係合していない状態で、前記格納容器を保持することができる前記間隙の一方の側における格納容器保持領域と、前記試料収集装置を保持することができる試料収集装置保持領域とを提示する、試料採取システム。
【請求項３８】
前記格納容器保持領域は、前記手持ち式本体と一体的に形成されている、請求項３６又は３７に記載の試料採取システム。
【請求項３９】
前記試料収集装置保持領域は、前記手持ち式本体と一体的に形成されている、請求項３６〜３８のいずれか一項に記載の試料採取システム。
【請求項４０】
前記手持ち式本体に取外し可能に係合可能な基本ユニットを更に備え、該基本ユニットは、前記第２の使用モード中に前記手持ち式本体に係合する、請求項３６〜３９のいずれか一項に記載の試料採取システム。
【請求項４１】
前記第１の使用モード中、前記リーダーユニットは、前記試料が取り除かれる間、試料情報及び物品ＩＤのうちの少なくとも一方を取り込む、請求項３６〜４０のいずれか一項に記載の試料採取システム。
【請求項４２】
図面のうちの任意の１つ以上を参照して実質的に本明細書に記載されている試料採取器。
【請求項４３】
図面のうちの任意の１つ以上を参照して実質的に本明細書に記載されているように、物品から試料を採取し該試料を格納容器内に配置する方法。
【請求項４４】
（ｉ）手持ち式本体であって、
ａ．生体物品から生体試料（以下、「試料」）を受け取りかつ格納することができる格納容器を収容するために使用されるように適合された格納容器ホルダーと、
ｂ．試料収集装置を収容するために使用されるように適合された試料収集装置ホルダーと、
ｃ．前記試料を採取すべき物品を収容するために、前記格納容器ホルダーと前記試料収集装置ホルダーとの間に設けられた試料除去領域と、
ｄ．前記試料収集装置ホルダーから試料収集装置を、前記物品から試料を取り除くように駆動して、格納容器内に押し込むように適合されたアクチュエーターと、
を保持する手持ち式本体と、
（ｉｉ）前記収集装置及び／又は前記格納容器に関連する識別情報（以下、「試料情報」）を取り込むように適合された試料識別リーダーと、
（ｉｉｉ）前記試料を採取すべき前記物品に関連する識別情報（以下、「物品ＩＤ」）を取り込むように適合された物品ＩＤリーダーと、
を備え、
前記試料識別リーダー及び前記物品ＩＤリーダーは、合わさって又は別々に、前記手持ち式本体及び手持ち式携帯型電子デバイスのうちの一方の一部を形成する、試料採取システム。
【発明の詳細な説明】
【技術分野】
【０００１】
本発明は、生体試料を採取する装置及び方法に関する。
【背景技術】
【０００２】
家畜の追跡を改善し、ＤＮＡ検査を促進するために、動物から生体試料を収集することができる。試料は、通常、試料採取装置を用いて動物から切り取られ、実験室で分析するために格納容器内に配置される。
【０００３】
疾病対策及び品質管理のために、各動物を一意のコードで個々に識別することができることがますます重要になってきている。これは、通常、近年、世界中の多くの国々で義務付けられることになった、家畜のタグ付けによって達成される。動物に、例えば、動物の耳（両方の場合もある）に取り付けられるタグは、タグの上に又はタグによって送信可能な一意の識別子を有する。これらの一意のコードは、動物、飼育業者に関する追加のデータとともに、集中的に登録することができる。さらに、一意の識別子により、試料を対象動物に明白に関連付けることができる。したがって、疾病が大流行したとき、原因を突き止めることができ、疾病をより有効にかつ効率的に管理することができる。
【０００４】
識別タグの使用から安全性の強化がもたらされるにも関わらず、間違い又は不正、例えば、１つの動物からの試料が別の動物のＩＤに関連付けられる、試料採取間の不正の危険が依然として残っている。これは、試料のタンパリング（tampering：不正操作）を防止する十分な対策がない場合に、試料採取プロセス中に発生する可能性がある。
【０００５】
さらに、試料採取プロセスは、通常、試料を採取している間に同時に各試料に関連する複数の情報の記録をとる必要があるため、多くの場合、労働力を必要とし、間違い及び不正確になりやすい。
【発明の概要】
【発明が解決しようとする課題】
【０００６】
したがって、本発明の目的は、（ａ）既知の試料採取器の不都合を克服するのに少なくとも幾らか役立つ試料採取装置、（ｂ）既知の収集方法の不都合を克服するのに少なくとも幾らか役立つ、試料を収集する方法、又は（ｃ）既知の試料採取装置及び方法に対する有用な代替物を提供することである。
【０００７】
本明細書で使用される場合、組織は、生物の任意の部分、特に、同様の細胞でできた任意の部分、又は、同様の機能を実施する任意の単数若しくは複数の部分を意味する。組織は、好ましくは、植物、並びに、特に、ブタ、ヤギ、ウシ、ヒツジ、家禽、及び魚類を含む動物からの、任意の形態の生体試料を指す。生体試料は、例えば、肉、血液、毛、毛皮、唾液、汗、尿等の動物組織、又は、葉、樹皮、根、若しくは木等の植物組織、又は、植物若しくは動物の任意の他の部分であるが特に同様の細胞でできた若しくは同様の機能を実施する任意の他の部分を含むことができる。
【０００８】
本明細書において、特許明細書、他の外部文献又は他の情報源を参照する場合、これは、概して、本発明の特徴を考察するための背景を提供することを目的とする。特に別段の定めのない限り、こうした外部文献に対する参照は、こうした文献又はこうした情報源が、いかなる管轄においても、先行技術であるか、又は本技術分野における共通の一般知識の一部を形成すると容認するものとして解釈されるべきではない。
【課題を解決するための手段】
【０００９】
第１の態様において、本発明は、動物から試料を採取して取り除くシステムであって、
Ａ）試料採取器であって、
ｉ．生体試料（以下、「試料」）を受け取りかつ格納することができる格納容器を収容するために使用されるように適合された格納容器ホルダーと、
ｉｉ．試料収集装置を収容するために使用されるように適合された試料収集装置ホルダーと、
ｉｉｉ．試料を採取すべき物品を収容するために、格納容器ホルダーと試料収集装置ホルダーとの間に設けられた試料除去領域と、
ｉｖ．試料収集装置ホルダーから試料収集装置を、（好ましくは物品を通して）物品から試料を取り除くように駆動して格納容器内（好ましくは格納容器の第１の端部）に押し込むように適合されたアクチュエーターと、
を保持する手持ち式本体を備える試料採取器と、
Ｂ）（上記手持ち式本体に好ましくは取外し可能に係合するか又は試料採取中に上記手持ち式本体に近接して配置される）リーダーユニットであって、
ｉ．収集装置及び／又は格納容器に関連する識別情報（以下、「試料情報」）を取り込むように適合された試料識別リーダーと、
ｉｉ．試料を採取すべき物品に関連する識別情報（以下、「動物ＩＤ」）を取り込むように適合された動物ＩＤリーダーと、
のうちの１つ以上を備えるリーダーユニットと、
を備える、システムであると述べることができる。
【００１０】
第２の態様において、本発明は、
手持ち式本体であって、
ａ．生体試料（以下、「試料」）を受け取りかつ格納することができる格納容器を収容するために使用されるように適合された格納容器ホルダーと、
ｂ．試料収集装置を収容するために使用されるように適合された試料収集装置ホルダーと、
ｃ．試料を採取すべき物品を収容するために、格納容器ホルダーと試料収集装置ホルダーとの間に設けられた試料除去領域と、
ｄ．試料収集装置ホルダーから試料収集装置を、（好ましくは物品を通して）物品から試料を取り除くように駆動して格納容器内（好ましくは格納容器の第１の端部）に押し込むように適合されたアクチュエーターと、
を保持する（及び好ましくは保持している）手持ち式本体と、
上記手持ち式本体に（好ましくは取外し可能に）係合するリーダーユニットであって、
ｉ．収集装置及び／又は格納容器に関連する識別情報（以下、「試料情報」）を取り込むように適合された試料識別リーダーと、
ｉｉ．試料を採取すべき物品に関連する識別情報（以下、「動物ＩＤ」）を取り込むように適合された動物ＩＤリーダーと、
のうちの１つ以上を備えるリーダーユニットと、
を備える、試料採取器であると述べることができる。
【００１１】
好ましくは、リーダーユニットは、記憶装置を備え、及び／又は取外し可能記憶装置を収納することができる。
【００１２】
好ましくは、記憶装置は、好ましくは互いに関連付けられた動物ＩＤ及び試料情報を記憶することができる。
【００１３】
好ましくは、リーダーユニットは、動物ＩＤ及び／又は試料情報を外部デバイスに送信する送信器を備える。
【００１４】
好ましくは、リーダーユニットは充電式電源を備える。
【００１５】
好ましくは、リーダーユニットは、試料採取器に係合可能な形態であるとき、上記格納容器ホルダーを備える。
【００１６】
好ましくは、リーダーユニットは、試料採取器に係合可能な形態であるとき、上記格納容器ホルダーと上記収集装置ホルダーとを備える。
【００１７】
好ましくは、格納容器ホルダー及び収集装置ホルダーのうちの少なくとも一方は、手持ち式本体に永久的に係合している。
【００１８】
好ましくは、リーダーユニットが、試料採取器に係合可能な形態である場合に、取り外される場合、試料採取器は、依然として物品に対して試料を取り除くように機能することができる。
【００１９】
好ましくは、リーダーユニットは、試料採取器に係合可能な形態であるとき、該試料採取器から取外し可能であり、基本ユニットと交換可能であり、基本ユニットは、
Ａ）ａ．上記格納容器ホルダー、及び、
ｂ．上記収集装置ホルダー、
のうちの少なくとも一方、又は、
Ｂ）ａ．同様の格納容器ホルダー、及び、
ｂ．同様の収集装置ホルダー、
のうちの少なくとも一方、
を備える。
【００２０】
好ましくは、リーダーユニットは試料識別リーダーを備え、試料識別リーダーによって読み取られる上記試料情報は、収集装置及び／又は格納容器に関連する機械可読ＩＤ及び電子ＩＤのうちの１つ以上を含む。
【００２１】
好ましくは、リーダーユニットは動物ＩＤリーダーを備え、動物ＩＤリーダーによって読み取られる上記動物ＩＤは、試料を採取すべき物品に関連する機械可読ＩＤ及び電子ＩＤのうちの１つ以上を含む。
【００２２】
好ましくは、リーダーユニットは、試料識別リーダー及び動物ＩＤリーダーを備え、
各リーダーは、互換性のあるＥＩＤ通信（好ましくは、ＲＦＩＤ）によりそれぞれの識別情報を取り込むように構成されている。
【００２３】
好ましくは、試料リーダー及びタグリーダーは、ＥＩＤ通信に対して異なる周波数を利用する。
【００２４】
好ましくは、試料識別リーダーは１２５ｋＨｚで動作し、タグリーダーは１３４．２ｋＨｚで動作する。
【００２５】
好ましくは、リーダーユニットは、
ａ）試料情報を取り込むことと、
ｂ）動物ＩＤを取り込むことと、
ｃ）ｉ）試料採取される物品、
ｉｉ）試料採取の場所、
ｉｉｉ）試料採取手順、
のうちの１つ以上に関連する補助データを取得することと、
のうちの１つ以上に対して構成されたカメラを備える。
【００２６】
好ましくは、リーダーユニットは位置追跡システムを備える。
【００２７】
好ましくは、リーダーユニットは、
ａ）タイマー、及び／又は、
ｂ）タイムスタンプを取得し、記録し、及び／又は送信する手段、
を備える。
【００２８】
好ましくは、リーダーユニットは動物ＩＤリーダーを備え、
リーダーユニットは、
ａ）上記動物ＩＤを取り込むことと試料を採取することとの間、及び／又は、
ｂ）試料を採取することと上記動物ＩＤを取り込むこととの間、
の時間を測定し及び／又は記録して、測定された及び／又は記録された時間を所定時間と比較するように構成されている。
【００２９】
好ましくは、先行する請求項のうちの任意の１つの試料採取器であって、上記又は１つのアクチュエーターは、上記試料が格納容器内に押し込まれた後、（好ましくは、第１の端部を介して又は第１の端部において）該格納容器内に又は上にシールを押し込むように適合され、上記リーダーユニットは、試料を採取することと、上記シールにより試料チューブを封止することとの間の所定制限時間を提供するように構成されている。
【００３０】
好ましくは、上記測定された及び／又は記録された時間が所定時間を超える場合、試料採取器又はリーダーユニットは、聴覚、視覚又は触覚フィードバックを提供する。
【００３１】
好ましくは、上記測定された及び／又は記録された時間が所定時間を超える場合、試料採取器又はリーダーユニットは、ユーザーに対して新たな試料を採取するように促す。
【００３２】
好ましくは、上記測定された及び／又は記録された時間が所定時間を超える場合、試料採取器は、上記アクチュエーター（複数の場合もある）が作動するのを阻止することにより動作停止する。また、好ましくは、ユーザーは、試料採取器を再起動するために、ユーザーログイン詳細を入力することとユーザー認証情報を取り込むこととのうちの１つ以上を含む１つ以上の認可ステップを行うように、及び／又は試料採取プロセスを再始動するように要求される。
【００３３】
好ましくは、上記測定された及び／又は記録された時間が所定時間を超える場合、試料採取器は、試料に関連する（好ましくは、上記試料情報及び／又は動物ＩＤに関連付けられ、かつ上記リーダーユニットの記憶装置に記憶された）警告データタグを記録する。
【００３４】
好ましくは、上記所定時間は約２秒間〜２０秒間である。
【００３５】
好ましくは、上記所定制限時間は約１秒間〜５分間である。
【００３６】
好ましくは、上記制限時間は約５秒間〜１０秒間である。
【００３７】
好ましくは、上記リーダーユニットはタグリーダーを備え、
リーダーユニットは、動物ＩＤが取り込まれる時点でタイムスタンプを記録し、
リーダーユニットは、試料が採取される時点で別のタイムスタンプを記録する。
【００３８】
好ましくは、リーダーユニットは試料識別リーダーを備え、
試料を採取する時点は、収集装置が収集装置ホルダーから（好ましくは物品を通して）押し出されて物品から試料を取り除く際に、収集装置に関する上記試料情報を取り込むことに対応する。
【００３９】
好ましくは、リーダーユニットは、試料採取器の動作又は動作可能性を制御するプロセッサを備える。
【００４０】
好ましくは、リーダーユニットは、ユーザー認証情報を受け取り及び／又は取り込むユーザーインターフェースを備える。
【００４１】
好ましくは、リーダーユニットは、１つ以上の外部デバイスにデータを送信する無線通信手段を備える。
【００４２】
好ましくは、リーダーユニットは、１つ以上の外部デバイスにデータを無線で送信することができる。
【００４３】
好ましくは、記憶装置は、
Ａ）動物ＩＤ及び試料情報と、
Ｂ）ＧＰＳデータ、写真、タイムスタンプと、
のうちの少なくとも１つを記憶することができ、好ましくは互いに関連付けられている。
【００４４】
更なる態様において、本発明は、試料採取器を用いて、物品から生体試料を採取し、試料を格納容器内に配置する方法であって、上記試料採取器は、
生体試料（以下、「試料」）を受け取る格納容器を収容するために使用されるように適合された格納容器ホルダーと、
試料収集装置を収容するために使用されるように適合された試料収集装置ホルダーと、
試料を採取すべき物品を収容するために、格納容器ホルダーと試料収集装置ホルダーとの間に設けられた試料除去領域と、
試料収集装置ホルダーから試料収集装置を、（好ましくは物品を通して）物品から試料を取り除くように駆動して格納容器内（好ましくは格納容器の第１の端部）に押し込むように適合されたアクチュエーターと、
試料を採取すべき物品に関連する識別情報（以下、「物品ＩＤ」）を取り込むように適合されたＩＤリーダーと、
を提示する手持ち式本体を備え、方法は、
ａ）試料採取器に、格納容器ホルダー及び試料収集装置ホルダーそれぞれにおいて格納容器及び試料収集装置を提供することと、
ｂ）物品から試料を取り除くようにアクチュエーターを駆動することと、
ｃ）物品ＩＤを取り込むことと、
を含み、
ステップ（ｂ）がステップ（ｃ）の前に発生するか後に発生するかに関わらず、ステップ（ｂ）とステップ（ｃ）との間の時間（以下、「試料採取時間」）がモニタリングされ、及び／又はステップ（ｂ）及びステップ（ｃ）の各々の時点がタイムスタンプとして記録される、方法であると述べることができる。
【００４５】
好ましくは、試料採取器は、本明細書において上述したようなものである。
【００４６】
好ましくは、物品は動物である。
【００４７】
また更なる態様において、本発明は、試料採取器を用いて、物品から試料を採取し、試料を格納容器内に配置する方法であって、上記試料採取器は、
生体試料（以下、「試料」）を受け取る格納容器を収容するために使用されるように適合された格納容器ホルダーと、
試料収集装置を収容するために使用されるように適合された試料収集装置ホルダーと、
試料を採取すべき物品を収容するために、格納容器ホルダーと試料収集装置ホルダーとの間に設けられた試料除去領域と、
試料収集装置ホルダーから試料収集装置を、（好ましくは物品を通して）物品から試料を取り除くように駆動して格納容器内（好ましくは格納容器の第１の端部）に押し込むように適合されたアクチュエーターと、
試料を採取すべき物品（例えば、動物）に関連する（及び好ましくは保持される）識別情報（以下、「物品ＩＤ」、例えば、動物ＩＤ）を取り込むように適合された、（手持ち式本体に好ましくは取外し可能に係合するか又は試料採取中に手持ち式本体に近接して配置される）ＩＤリーダーと、
を提示する手持ち式本体を備え、方法は、
ａ）試料採取器に、格納容器ホルダー及び試料収集装置ホルダーそれぞれにおいて格納容器及び試料収集装置を提供することと、
ｂ）物品から試料を取り除くようにアクチュエーターを駆動することと、
ｃ）物品ＩＤを取り込むことと、
を含み、
ステップ（ｂ）がステップ（ｃ）の前に発生するか後に発生するかに関わらず、ステップ（ｂ）とステップ（ｃ）との間の時間（以下、「試料採取時間」）がモニタリングされ、及び／又はステップ（ｂ）及びステップ（ｃ）の各々の時点がタイムスタンプとして記録される、方法であると述べることができる。
【００４８】
好ましくは、試料採取器は、上記試料が試料収集器によって格納容器内に押し込まれた後にシールを格納容器内に又は上に押し込むように適合されたアクチュエーター又は上記アクチュエーターを備え、ステップ（ｂ）がステップ（ｃ）の前に発生するか後に発生するかに関わらず、
（Ａ）ｉ．ステップ（ｂ）及び（ｃ）のうちの少なくとも一方と、
ｉｉ．封止と、
の間の時間（以下、「シール時間」）がモニタリングされ、及び／又は、
（Ｂ）ステップ（ｂ）、（ｃ）及び封止の各々の時点がタイムスタンプとして記録される。
【００４９】
好ましくは、試料採取時間（好ましくは記録される）は所定制限時間と比較される。
【００５０】
好ましくは、方法は、上記試料採取時間が上記所定制限時間より長い場合、ユーザーに対して聴覚、視覚及び触覚フィードバックのうちの少なくとも１つを提供することを更に含む。
【００５１】
好ましくは、方法は、上記試料採取時間が上記所定制限時間より長い場合、ユーザーに対して試料採取プロセスを再開するように促すことを更に含む。
【００５２】
好ましくは、ステップ（ｂ）がステップ（ｃ）の後に発生する場合に試料採取時間がモニタリングされ、それにより、試料採取時間が上記所定制限時間を超えた場合、アクチュエーターの上記駆動が上記試料採取器によって阻止される。
【００５３】
好ましくは、シール時間は、シール時間が上記所定制限時間を超える場合に、格納容器内に又は上にシールが押し込められるようにするアクチュエーターの上記駆動が阻止されるように、モニタリングされる。
【００５４】
好ましくは、上記試料採取時間が上記所定制限時間より長く、かつ上記試料採取器が、上記アクチュエーター（複数の場合もある）が作動するのを阻止することにより動作停止する場合、ユーザーは、試料採取器を再起動するために、ユーザーログイン詳細を入力すること及びユーザー認証情報を取り込むことのうちの１つ以上を含む１つ以上の認可ステップを行い、及び／又は試料採取プロセスを再開しなければならない。
【００５５】
好ましくは、方法は、上記試料採取時間が上記それぞれの所定制限より長い場合、試料に関連付けられた警告データタグを記録し又は割り当てることを更に含む。
【００５６】
好ましくは、上記警告データタグは、（好ましくは、別個の記憶装置において、及び／又は上記手持ち式本体に関連する記憶装置において）上記動物ＩＤに関連付けられる。
【００５７】
好ましくは、上記警告データタグは、上記収集装置及び上記格納容器の両方のうちの一方によって所持される情報に関連付けられる。
【００５８】
好ましくは、ステップ（ｂ）及びステップ（ｃ）が発生する時点がタイムスタンプとして記録され、該記録されたタイムスタンプは、（好ましくは、別個の記憶装置において、及び／又は上記手持ち式本体に関連する記憶装置において）上記試料に関連付けられる。
【００５９】
好ましくは、上記タイムスタンプは、好ましくは別個の記憶装置において、及び／又は上記手持ち式本体に関連する記憶装置において、記録され、上記収集装置及び上記格納容器のうちの一方又は両方によって所持される情報に関連付けられる。
【００６０】
好ましくは、上記タイムスタンプは、好ましくは別個の記憶装置において、及び／又は上記手持ち式本体に関連する記憶装置において、上記物品ＩＤに関連付けられる。
【００６１】
好ましくは、方法は、収集装置が、収集装置ホルダーから押し出され、（好ましくは物品を通して）物品から試料を取り除くように駆動される際、該収集装置に関連する識別情報（以下、「試料情報」）を取り込むことであって、試料を採取する時点は、上記試料情報の上記取込みに対応することを更に含む。
【００６２】
好ましくは、試料採取時間が比較される所定制限時間は、約２秒間〜２０秒間である。
【００６３】
好ましくは、試料採取時間が比較される所定制限時間は、約２秒間〜５分間である。
【００６４】
好ましくは、試料採取時間が比較される所定制限時間は、約５秒間〜１０秒間である。
【００６５】
好ましくは、シール時間が比較される所定制限時間は、約２秒間〜２０秒間である。
【００６６】
好ましくは、シール時間が比較される所定制限時間は、約５秒間〜１０秒間である。
【００６７】
更なる態様において、本発明は、
試料採取器であって、
ａ．生体試料（以下、「試料」）を受け取りかつ格納することができる格納容器を保持することができ（及び好ましくは保持し）、
ｂ．試料収集装置を、上記格納容器及び該試料収集装置の中間で、上記試料を取り除くべき物品の部分を収容するために十分なサイズの上記格納容器から間隙によって分離されるように保持することができる（及び好ましくは保持する）、
場所において試料採取領域を画定する手持ち式本体を備え、
上記手持ち式本体は、試料収集装置を、間隙の一方の側から間隙を横切り（好ましくは物品を通して又は横切り）、物品から試料を取り除くように駆動し、格納容器内（好ましくは格納容器の第１の端部）に押し込むように適合されたアクチュエーターを支持する、試料採取器と、
上記手持ち式本体に取外し可能に係合可能なリーダーユニットであって、
ａ．収集装置及び／又は格納容器に関連する識別情報（以下、「試料情報」）を取り込むように適合された試料識別リーダーと、
ｂ．試料を採取すべき物品に関連する識別情報（以下、「動物ＩＤ」）を取り込むように適合された動物ＩＤリーダーと、
のうちの１つ以上を備えるリーダーユニットと、
を備え、
第１の使用モードでは、試料採取器は、リーダーユニットが手持ち式本体に係合した状態で、格納容器を保持することができる間隙の一方の側における格納容器保持領域と、上記試料収集装置を保持することができる試料収集装置保持領域とを提示し、
第２の使用モードでは、試料採取器は、リーダーユニットが手持ち式本体に係合していない状態で、格納容器を保持することができる間隙の一方の側における格納容器保持領域と、上記試料収集装置を保持することができる試料収集装置保持領域とを提示する、試料採取システムであると述べることができる。
【００６８】
更なる態様において、本発明は、
試料採取器であって、
ａ．生体試料（以下、「試料」）を受け取りかつ格納することができる格納容器を保持することができ（及び好ましくは保持し）、
ｂ．試料収集装置を、上記格納容器及び該試料収集装置の中間で、上記試料を取り除くべき物品の部分を収容するために十分なサイズの上記格納容器から間隙によって分離されるように保持することができる（及び好ましくは保持する）、
場所において試料採取領域を画定する手持ち式本体を備え、
手持ち式本体は、試料収集装置を、間隙の一方の側から間隙を横切り（好ましくは物品を通して又は横切り）、物品から試料を取り除くように駆動し、格納容器（好ましくは格納容器の第１の端部）内に押し込むように適合されたアクチュエーターを支持する、試料採取器と、
上記手持ち式本体に取外し可能に係合可能な、又は手持ち式本体から離れているが近接して位置することができるリーダーユニットであって、
ａ．収集装置及び／又は格納容器に関連する識別情報（以下、「試料情報」）を取り込むように適合された試料識別リーダーと、
ｂ．試料を採取すべき物品に関連する識別情報（以下、「物品ＩＤ」）を取り込むように適合された物品ＩＤリーダーと、
のうちの１つ以上を備えるリーダーユニットと、
を備え、
第１の使用モードでは、試料採取器は、リーダーユニットが手持ち式本体に係合した状態で、格納容器を保持することができる間隙の一方の側における格納容器保持領域と、上記試料収集装置を保持することができる試料収集装置保持領域とを提示し、
第２の使用モードでは、試料採取器は、リーダーユニットが手持ち式本体に係合していない状態で、格納容器を保持することができる間隙の一方の側における格納容器保持領域と、上記試料収集装置を保持することができる試料収集装置保持領域とを提示する、試料採取システムであると述べることができる。
【００６９】
好ましくは、格納容器保持領域は、手持ち式本体と一体的に形成されている。
【００７０】
好ましくは、試料収集装置保持領域は、手持ち式本体と一体的に形成されている。
【００７１】
好ましくは、上記手持ち式本体に取外し可能に係合可能な基本ユニットを更に備え、該基本ユニットは、上記第２の使用モード中に上記手持ち式本体に係合する。
【００７２】
好ましくは、各上記リーダーユニット及び上記基本ユニットは、上記それぞれの使用モードの間に上記手持ち式本体に提示される、格納容器保持領域を備える。
【００７３】
好ましくは、各上記リーダーユニット及び上記基本ユニットは、上記それぞれの使用モードの間に上記手持ち式本体に提示される、試料収集装置保持領域を備える。
【００７４】
好ましくは、上記第１の使用モード中、上記リーダーユニットは、上記試料が取り除かれる間、試料情報及びＩＤのうちの少なくとも一方を取り込む。
【００７５】
更なる態様において、本発明は、図面のうちの任意の１つ以上を参照して実質的に本明細書に記載されている試料採取器であると述べることができる。
【００７６】
更なる態様において、本発明は、図面のうちの任意の１つ以上を参照して実質的に本明細書に記載されているように、物品から試料を採取し試料を格納容器内に配置する方法であると述べることができる。
【００７７】
更なる態様において、本発明は、
（ｉ）手持ち式本体であって、
ａ．生体試料（以下、「試料」）を受け取りかつ格納することができる格納容器を収容するために使用されるように適合された格納容器ホルダーと、
ｂ．試料収集装置を収容するために使用されるように適合された試料収集装置ホルダーと、
ｃ．試料を採取すべき物品を収容するために、格納容器ホルダーと試料収集装置ホルダーとの間に設けられた試料除去領域と、
ｄ．試料収集装置ホルダーから試料収集装置を、（好ましくは物品を通して）物品から試料を取り除くように駆動して、格納容器内（好ましくは格納容器の第１の端部）に押し込むように適合されたアクチュエーターと、
を保持する（及び好ましくは保持している）手持ち式本体と、
（ｉｉ）収集装置及び／又は格納容器に関連する識別情報（以下、「試料情報」）を取り込むように適合された試料識別リーダーと、
（ｉｉｉ）試料を採取すべき物品に関連する識別情報（以下、「物品ＩＤ」）を取り込むように適合された物品ＩＤリーダーと、
を備え、
試料識別リーダー及び動物ＩＤリーダーは、合わさって又は別々に、上記手持ち式本体及び手持ち式携帯型電子デバイスのうちの一方の一部を形成する、試料採取システムであると述べることができる。
【００７８】
本明細書で使用される用語「備える（comprising）」は、「少なくとも部分的に〜からなる（consisting at least in part of）」を意味する。用語「備える」を含む本明細書の各陳述を解釈するとき、この用語が後置される単数又は複数の特徴以外の特徴も存在することができる。「備える（"comprise" and "comprises"）」等の関連する用語は、同じように解釈される。
【００７９】
また、本発明は、出願の明細書において参照される又は指示される個々の又は集合的な部分、要素、及び特徴、並びに、上記部分、要素、又は特徴のうちの任意の２つ以上のものの任意の組合せ、又は全ての組合せからなると、幅広く述べることができ、本発明が関連する技術分野における、知られている等価物を有する特定の完全体が本明細書において述べられ、こうした知られている等価物は、個々に述べられるかのごとくに本明細書の一部をなすものと見なされる。
【００８０】
本発明は、上記に存するが、以下で単に例が与えられる構造も想定する。
【００８１】
本発明の好ましい実施形態について、単に例として、図面を参照して説明する。
【図面の簡単な説明】
【００８２】
【図１】１つの実施形態による試料採取器の断面図である。
【図２】別の実施形態による試料採取器の斜視図である。
【図３ａ】別の実施形態による試料採取器の分解斜視図である。
【図３ｂ】別の実施形態による試料採取器の分解斜視図である。
【図３ｃ】別の実施形態による試料採取器の分解斜視図である。
【図４ａ】別の実施形態による試料採取器の部分拡大図である。
【図４ｂ】別の実施形態による試料採取器の部分拡大図である。
【図５ａ】別の実施形態による試料採取システムを示す図である。
【図５ｂ】別の実施形態による試料採取システムを示す図である。
【図５ｃ】別の実施形態による試料採取システムを示す図である。
【図５ｄ】別の実施形態による試料採取システムを示す図である。
【図６】一実施形態による取外し可能なスマートリーダーユニット及び交換用標準格納ホルダーユニットを示す図である。
【図７】１つの実施形態による試料採取器の構成要素（及び関連する動作）を示すフローチャートである。
【図８】１つの実施形態による試料採取プロセスのステップを示すフローチャートである。
【図９】別の実施形態による試料採取システムを示す図である。
【発明を実施するための形態】
【００８３】
本発明は、植物、並びに、特に、ブタ、ヤギ、ウシ、ヒツジ、家禽及び魚類を含む動物から生体試料を取得する試料採取器に関する。ネコ、イヌ及びウマ等のペットからの試料採取もまた構想される。これらの生体試料としては、例えば、動物の組織、肉、血液、毛、毛皮、唾液、汗、尿を挙げることができる。本発明は、より具体的には、試料採取、試料及び動物相関、メタデータ収集、試料の安全確保、並びに、試料採取プロセスのタンパリング又は試料採取プロセス中の不注意による間違いを検出し、低減させ及び／又はなくす、不正低減又は防止機構に関する。
【００８４】
図３及び図４に見られるような試料採取器１’’は、複数の収集装置２５０を備えるマガジンを保持するように適合させることができる。各収集装置は、物品（例えば、動物又は植物の物質等）から試料を切断する切断要素を有するパンチ２５１を備えることができる。各収集装置２５０はまた、作動手段の移動によって、試料採取器によって保持されている格納容器内に試料を押し込むプランジャーも備えることができる。試料採取器とともにマガジンが（一体的に又は取外し可能に）含まれる場合、試料が採取された後にマガジンを回転させて、別の試料又は試料採取すべき同じか若しくは異なる物品を採取するために別の収集装置を適所に置くことができ、それにより、連続した試料を効率的に採取することができる。
【００８５】
試料採取器１、１’’、１’’’で使用することができる収集装置２５０の例示的な実施形態は、引用することにより本明細書の一部をなす国際公開第２０１５／０５６２２９号に記載されているようなものとすることができる。
【００８６】
収集装置２５０は、有機体から試料を取り除くように構成されたカッター２５５を有する中空パンチ２５１を備えることができる。収集装置２５０はまた、パンチのカッター２５５から試料を押し出す、パンチ２５１内で摺動可能に移動可能なプランジャー２５７も備えることができる。
【００８７】
他の実施形態では、図２に示すように、収集装置２５０は、本質的にパンチ２５１からなることができ、パンチ２５１は、有機体から試料を打ち抜くように駆動され、その後、格納容器５００内に移動する。
【００８８】
図１及び図９に示すような、引用することにより本明細書の一部をなす国際公開第２０１４／１９６８７６号に記載されている１つの実施形態では、試料採取器１は、複数の収集装置２５０を保持するマガジンレセプタクル２００と、格納容器ホルダー３００と、試料除去領域４００とを有する本体１００を備えることができる。試料除去領域は、マガジンレセプタクルと格納容器ホルダーとの間に位置している。収集装置２５０をマガジン２００から格納容器５００内に押し込むように、アクチュエーター１３０が作動可能である。
【００８９】
図２に示すような別の実施形態では、試料採取器１’は、格納容器ホルダー３００と、格納容器５００に関連する単一のパンチ２５１を保持するように構成することができるパンチホルダー５０とを有する本体１００を備えることができる。
【００９０】
図３及び図４に示すような別の実施形態では、試料採取器１’’は、本体１００と、脱着式スキャン／検知／リーダーユニット１０００とを備えることができる。幾つかの好ましい実施形態では、脱着式リーダーユニット１０００は、格納容器ホルダー３００とデジタル記憶装置１１００とを備える。図示する実施形態では、脱着式リーダーユニット１０００は単一の格納容器５００を保持し、それにより、ユーザーは、各試料が採取された後、格納容器５００を交換する。他の実施形態では、脱着式リーダーユニット１０００は、複数の格納チューブ３００を保持するマガジンを備えることができる。例えば、マガジンは回転可能とすることができ、それにより、新たな格納容器を各試料に対して有効な収集位置に逐次移動させることができる。
【００９１】
好ましい実施形態では、試料採取器１’’の本体１００は、複数の収集装置２５０を保持するマガジンレセプタクル２００と、試料除去領域４００とを備える。試料除去領域は、マガジンレセプタクルと格納容器ホルダー３００との間に位置する。
【００９２】
図５ａ〜図５ｄに示すような別の実施形態では、試料採取器１’’’は、カセット３０３を取外し可能に（例えば、スナップフィット若しくは押込み嵌め又は他の嵌合を介して）収納するように構成することができる。カセットは、好ましくは、上述した収集装置等の収集装置２５０と、上述した格納容器等の格納容器５００と、（任意選択的に）シール又はカバー２６０とを担持する。
【００９３】
シール２６０は、汚染に対する試料の追加の保護のために、試料が内部に配置されると格納容器５００の開放端部を覆うように、設けることができる。幾つかの実施形態では、収集装置２５０が、（パンチのカッター２５５から試料を押し出すように、パンチ２５１内で摺動可能に移動可能である）プランジャー２５７を備える場合、シール２６０もまた、シールが格納容器５００の上に係合したときにプランジャーを押し、それにより、パンチから格納容器内に試料を押し込むように適合させることができる。
【００９４】
好ましい形態では、カセット３０３は、格納容器保持領域３０６と収集装置領域３０７とを備える。２つの領域は、好ましくは一体的に接続されており、それらの間に、試料除去領域４００が画定されている。
【００９５】
収集装置領域３０７は、収集装置２５０及びシール２６０（設けられている場合）を保持するように構成されている。シール２６０が収集装置２５０とは別個に設けられている場合、図５ａ〜図５ｄに示すように、収集装置及びシールマガジン３０９によって２つの要素を提供することができる。マガジン３０９は、試料採取器１’’’による作動のために収集装置２５０及びシール２６０を選択的にかつ逐次一列に並んで提示するように、収集装置領域３０７に対して移動するか又は移動させることができる。
【００９６】
例えば、図５ｂは、収集装置２５０が格納容器５００と軸方向に位置合せされた状態を示す。そして、有機体から試料を打ち抜き、試料を格納容器５００内に移動させるように、試料採取器１’’’を作動させることができる。その後、図５ｃは、収集装置２５０が格納容器５００に送り出されており、マガジン３０９が、シール２６０を格納容器５００と軸方向に位置合せするように変位している様子のカセット３０３を示す。そして、図５ｄに示すように、格納容器の開放端部内に又はその上にシール２６０を押し込むように、試料採取器１’’’を作動させることができる。幾つかの実施形態では、試料採取器１’’’は駆動機構を備えることができ、駆動機構は、作動した後のアクチュエーター１３０を初期／後退位置に向かって戻るように移動させ、それにより、２段階プロセスで、最初に収集装置２５０を、次いでシール２６０を、格納容器内に押し込むことができる。
【００９７】
他の実施形態では、シール２６０が設けられていないか、又は収集装置２５０と一体的に（又は一列に）設けられている場合、マガジンは設けられない可能性があり、収集装置領域は、収集装置２５０（又は、一体的なシール２６０とともに収集装置）を保持するように構成することができる。
【００９８】
カセット３０３は、幾つかの実施形態では、試料が採取された後、格納容器５００を保持することができ、単回使用カセットアセンブリを実験室に発送することができる。他の実施形態では、充填された格納容器５００をカセットから取り外して、実験室に発送することができ、単回使用カセット３０３を廃棄することができる。更に他の実施形態では、試料が採取された後、新たな格納容器５００及び収集装置２５０及びシール２６０（設けられている場合）又はマガジン３０９（設けられている場合）をカセット３０３に挿入して、新たな試料に対して用意することができる。
【００９９】
本発明の改善は、本発明の範囲から逸脱することなく、収集装置及び試料採取器（並びに関連する試料採取方法）の様々な形態及び構成に適用することができる、ということが理解されるべきである。本改善は、試料採取装置及びプロセスに検知構成要素、処理構成要素及び接続構成要素を追加して、試料採取プロセスの効率及び安全性を向上させ、試料採取器のいかなる特定の構成にも制限されない。
【０１００】
試料を取得するように試料採取器を作動させる好適な方法は、引用することにより本明細書の一部をなし、かつ図１に示す、国際公開第２０１４／１９６８７６号に記載されているようなものとすることができる。マガジン２００は試料採取器１内で回転可能であり、それにより、未使用の収集装置２５０を逐次有効な収集位置に移動させることができる。試料採取器１は、有効な収集装置を、試料除去領域４００を通して格納容器に向かってマガジン２００のチャンバーから押し出すように、例えばラムを作動させる、作動手段を備える。ラムが、試料除去領域４００を通して収集装置２５０を押す際、パンチの切断端部は、物品（例えば、動物の耳又は他の部分）を突き抜けて物品から試料プラグを切断する。試料採取器のハンドル又は引金を介してラムを作動させることができる。
【０１０１】
これらの例示的な試料採取器１、１’、１’’、１’’’のいずれも、試料採取プロセス及び後続する下流の試料分析の容易さ、効率、利便性、安全性及び／又は精度を向上させるように、追加の検知構成要素、処理構成要素及び接続構成要素を備えることができる。
【０１０２】
１つの実施形態では、図１〜図４に示すような試料採取器１、１’、１’’、１’’’は、タグリーダー１５００を備えることができ、タグリーダー１５００は、試料が採取されるべき／採取された動物に関連付けられる動物タグ上の識別子をスキャンするか又は読み取るように構成されている。
【０１０３】
動物タグは、本技術分野において既知であり、各動物の一意の識別を提供するように広く使用されてきた。動物タグは、印刷されるか又は他の方法で動物タグに提供された連続した英数字等、人が可読の識別構成要素を含むことができる。動物タグは、リニアバーコード、又はクイックレスポンス（ＱＲ：quick response）コード等のマトリックスバーコード等、可視の機械可読構成要素を更に又は代替的に含むことができる。動物タグは、さらに又は代替的に、電子的に記憶された情報とこの情報をタグリーダーに送信する手段とを備える、電子識別（ＥＩＤ）タグ、例えば、無線周波数識別（ＲＦＩＤ）タグ、近距離無線通信（ＮＦＣ）タグとすることができる。場合により、動物タグは、動物の体内に（例えば、皮下に）埋め込むことができ、他の場合では、タグは、タグの少なくとも一部がユーザーに可視であるように、動物に（例えば、動物の耳に）取り付けられ、更に他の場合では、タグは、例えば、焼き印、入れ墨により、動物に付けられる。
【０１０４】
ＲＦＩＤが使用される場合、ＲＦＩＤシステムは、好適な周波数範囲、例えば、低周波数（ＬＦ）、高周波数（ＨＦ）、超高周波数（ＵＨＦ）で動作することができる。周波数範囲は、必要な距離にわたる有効性に従って、規制又は規格に従って、及び／又は（後により詳細に考察するように）他のＲＦＩＤシステムと干渉しないように、選択することができる。
【０１０５】
したがって、タグリーダー１５００は、動物タグから１つ以上の識別構成要素を読み出し、検知し、スキャンし、取り込み、及び／又は記録するように構成されている。幾つかの実施形態では、動物タグリーダー１５００は、或る範囲の異なる環境及びシナリオにわたるより高い汎用性のために、２つ以上のタイプの動物タグから識別子を取り込むことができるように構成されている。
【０１０６】
１つの実施形態では、タグリーダー１５００は、ＥＩＤタグから電子的に記憶されたデータを読み出すように構成されている。例えば、動物タグは、動物タグリーダーによって誘導的に電力が供給される受動ＲＦＩＤトランスポンダーを備えることができる。代替的に、動物タグは能動ＲＦＩＤタグとすることができる。タグリーダー１５００は、特定の搬送周波数又は周波数帯域にわたって動物タグによって送信される電子ＩＤを読み取るように構成されたＲＦＩＤリーダーアンテナを備える。
【０１０７】
好ましくは、ＲＦＩＤシステムの構成は、ＩＳＯ規格１１７８４及び１１７８５に準拠する。したがって、ＲＦＩＤシステムは、好ましくは、低周波数（ＬＦ）システムであり、１３４．２ｋＨｚのＩＳＯ準拠搬送周波数にわたって動作する。しかしながら、ＲＦＩＤシステムは、代わりに、動物識別及び追跡に関連する他の全国的な又は地方の規格に準拠することができ、したがって、適切に他の周波数で又は他の周波数にわたって動作することができる、ということが理解されよう。
【０１０８】
タグリーダー１５００は、ＲＦＩＤ機能を有していないタグと使用されるようにバーコード又はＱＲコード（登録商標）スキャナーを更に又は代替的に備えることができる。これらの場合、タグリーダー１５００は、バーコードスキャナー、画像スキャナー、カメラ又は他の画像取込み手段を備えることができる。試料採取器１、１’、１’’、１’’’のタグリーダー１５００は、取り込まれたバーコード画像を処理し解釈する画像認識ソフトウェアを実行するプロセッサを更に備えることができる。他の実施形態では、タグリーダー１５００は、後に処理され解釈されるために、別個の記憶場所、装置、データベース、サーバーに転送されるように、単にバーコード画像を記録することができる。
【０１０９】
さらに又は代替的に、タグリーダー１５００は、動物タグから、英数字通し番号等、人が可視／可読な動物ＩＤ又はＩＤ構成要素を記録するカメラ１８００とすることができる。同様に、記録された画像は、試料採取器内で実行されても、又はデータがリモートサーバーに転送された後であっても、画像認識及び処理ソフトウェアを用いて処理することができる。
【０１１０】
さらに、カメラ１８００を用いて、動物の識別特徴の写真又は映像、例えば、動物タグの写真、動物の網膜スキャン等のバイオメトリックデータ、斑点の色の差異若しくは分布等の動物の表面の視覚的パターン、又は、動物の表面の目に見える焼き印、耳の切込み等の他の識別特徴の写真を撮影することもできる。このバイオメトリック識別データは、動物に関連付けられた動物タグからの識別に加えて又はその代わりに取り込むことができる。
【０１１１】
カメラ１８００に、低照度状態で使用されるために、及び／又は写真を取り込む前／取り込むときにＩＤ構成要素又は動物の他の識別特徴に対する焦点の精度を向上させるレーザー「サイト」として、フラッシュ、レーザーポインター等の１つ以上の付属品（カメラと一体的に形成されていてもいなくてもよい）を設けることができる。他の付属品としては、写真の焦点合せ及び取込みに役立つように、かつ任意選択的に、取り込まれる画像に関するより多くの情報、例えば距離を取得するためにも、距離計（例えば、レーザー距離計）、近接センサー、赤外線センサーを挙げることができる。
【０１１２】
ユーザーに対して、動物の試料を採取する直前に及び／又は採取した直後に、動物タグをスキャンし及び／又は他の動物識別データを取り込むように促すことができる。この促しは、視覚、聴覚又は触覚フィードバックによることができる。例えば、カウントダウンタイマーが、可視及び／又は可聴とすることができる。
【０１１３】
後により詳細に考察するように、スキャンステップと試料採取ステップとの間のタイミングを制限し、調節し、記録し、又はモニタリングすることができる。他の実施形態では、動物ＥＩＤのスキャン又は送信を自動的に起動することができ、例えば、試料を採取するように試料採取器の引金を作動させることにより、ＥＩＤを読み取り及び／又は画像を取り込むようにタグリーダー１５００を同時に起動することができる。
【０１１４】
好ましい実施形態では、試料採取器は、（１）動物ＩＤのスキャン又は読取りと、（２）試料の採取、すなわち、有効としてマークされた試料（例えば、正当な試料）であり、したがって後続する処理において有効であるとして処理されるか又は処理されるべき試料（又は、逆もあり得る）の採取との間に、所定の制限時間があるように構成されている。これは、試料採取間の不正の危険を低減させる（すなわち、ユーザーが１つの動物のタグをスキャンし別の動物から試料を採取するのを防止する）のに役立つことができる。例えば、ユーザーに対して、動物タグをスキャンした後に、試料採取プロセスを完了するために３秒間〜１０秒間を与えることができる。この制限時間は工場で設定することができる。この制限時間は、種々のシナリオに適合させることができるように、認可されたユーザーによりプログラム可能とすることができる。
【０１１５】
幾つかの実施形態では、制限時間内に試料が採取されない場合、ユーザーに対して（音声、視覚、触覚フィードバックを介して）通知することができ、ユーザーは、試料（又は、正当な試料）を採取することができる前に動物タグを再スキャンすることが必要になる。すなわち、動物タグが再スキャンされない限り、収集装置のパンチを作動させることができないように、試料採取器の動作を阻止するか又は停止させることができる。
【０１１６】
幾つかの実施形態では、制限時間内に試料が採取されない場合、試料採取器の動作を停止させることができ、例えば、ユーザーが、例えば、ユーザーログイン詳細（ユーザーのログイン詳細又は管理者のログイン詳細のいずれかであり得る）を入力することにより、又は、ユーザー（若しくは管理者の）認証情報を取り込む、例えば、バーコード、ＱＲコード（登録商標）、ユーザーのＩＤカード上のＥＩＤ、及び／又はユーザーの親指の指紋、眼球スキャン等のバイオメトリックデータ等、ユーザーに関連する１つ以上の識別子を検知し、読み取り、及び／又は認識することにより、１つ以上の認可ステップを行うまで、アクチュエーター１３０が、（例えば、プッシュロッドをロックするソレノイドピンを介して）作動するのを阻止することができ、試料採取器は、電源が切れるか又はスタンバイモードになることができる。さらに、試料採取器を再起動するために、認可ステップ（複数の場合もある）が行われると、ユーザーに対して、試料採取プロセスを再開するように要求することもできる。
【０１１７】
他の実施形態では、制限時間内に試料が採取されない場合、試料に関連するデータにデータ警告タグが追加され、それにより、実験室の分析者が、その特定の試料採取の場合の間に、制限時間が破られたことを知る。すなわち、試料は有効でないか、又は正当な試料ではない。例えば、収集装置又は格納容器上のＩＤを介して、データを試料と関連付ける例示的な実施形態については、より詳細に後述する。
【０１１８】
代替的に、所定の制限時間又はタイマーを設定する代わりに、試料採取器は、２つのタイムスタンプを、１つは動物タグがスキャンされた時点で、もう１つは試料が採取された時点で、記録することができる。そして、例えば、実験室で、２つのタイムスタンプ間の時間を評価して、これらの２つの事象の間で経過した時間が長すぎるか否かを判断することができる。経過時間が長すぎる場合、試料は、不当な試料として扱うことができる。
【０１１９】
好ましくは、これらの事象（すなわち、動物ＩＤを取り込むこと及び試料を採取すること）の識別は、試料採取器又は関連する携帯型デバイスによって自動的に行われ、ユーザーは変更することができない。例えば、収集装置２５０又はパンチ２５１が、例えばマガジン２００から出るか、又は格納容器５００内に移動したことを確認するために、近接又は磁気スイッチ１５５０を好適な位置に設けることができる。したがって、この自動検出を試料採取動作に明白に関連付けることができる。
【０１２０】
試料採取動作を検出する他の手段もまた好適である可能性があり、例えば、後により詳細に考察するように、実際の収集装置のＩＤを、収集装置が試料を採取するために移動している間に、又は試料を採取した後に格納容器内に移動した後にのみ、取り込むように、試料ＩＤリーダーを配置することができる。したがって、試料ＩＤの読取りの時点を、試料採取動作の明白な確認として使用することができる。
【０１２１】
必要なスキャンプロセスは、試料を採取する前又は採取した後に、動物識別データが取り込まれることを必要とする可能性がある。試料を採取した後にスキャンが行われる場合、手続きは、制限時間が破られた場合、（例えば、試料採取器の動作を停止させることにより）試料が採取されるのを妨げないが、上述したようなデータ警告タグを試料に付けることができる。
【０１２２】
追加の安全性のために、マルチスキャンプロセスを実施することができる。例えば、ユーザーに対して、動物タグをスキャンし、試料を採取し、その後、動物タグを再スキャンするように要求することができる。任意選択的に、これは、全て、所定制限時間内に行われなければならない。これは、試料採取間の不正の危険を低減させるのに役立つ。
【０１２３】
１つの実施形態では、図１及び図２に示すように、動物タグリーダー１５００を試料採取器に一体的に設ける（かつ、永久的に取り付ける）ことができる。
【０１２４】
別の実施形態では、動物タグリーダー１５００は、図３及び図４に示すように、試料採取器の本体１００に取外し可能に取付可能であるリーダーユニット１０００に設けることができる。この実施形態では、脱着式リーダーユニット１０００は、内蔵記憶装置１１００及び／又は動物ＩＤを記憶する取外し可能な記憶装置、例えば、メモリカード、ＵＳＢを収納する手段も備えることができる。動物ＩＤデータ、及びタイムスタンプデータ等の他のデータを、記憶装置に記憶されるように書き込むことができる。代替的に、リーダーユニット１０００は、動物ＩＤ及び他のデータを、リーダーユニット１０００に記憶することなく外部デバイス又はデータベースに送信することができる。
【０１２５】
脱着式リーダーユニット１０００は、任意の好適な取付手段、例えば、スナップフィット、締まり嵌め、螺合、（図３ａ〜図３ｃに示すような）ラグ及びスロット接続、クランプを介して、試料採取器に可逆的に取り付けられるように構成することができる。
【０１２６】
第３の実施形態では、動物タグリーダー１５００は、試料採取器とは物理的に別個とすることができる。例えば、図９に示すように、動物タグリーダー１５００は、バーコード／ＱＲコード（登録商標）スキャナーとして機能することができるカメラを有する、及び／又は動物タグからＥＩＤデータを受け取るＲＦＩＤ／ＮＦＣ機能を有する、スマートフォン２０００又は他のポータブルコンピューティングデバイスを備えることができる。
【０１２７】
スマートフォン２０００は、スマートフォンと試料採取器との間のリンクを容易にするユーザーインターフェースを提供するソフトウェア又はアプリケーションを実行することができる。さらに、スマートフォン２０００は、取込みデータの画像認識及び処理のうちの幾つか又は全てを実行することができる。代替的に、生の取込みデータのうちの幾つか又は全てを、更に処理するためにサーバー又はデータベースに（有線接続を介しても無線接続を介しても）個別に又はまとめて送信することができる。
【０１２８】
好ましい実施形態では、試料採取器は、以下の機能のうちの１つ以上、すなわち、ユーザー認可、データ転送、ユーザー対話を実行するために、例えば、Ｂｌｕｅｔｏｏｔｈ（登録商標）、Ｂｌｕｅｔｏｏｔｈ  ｌｏｗ  ｅｎｅｒｇｙ（ＢＬＥ）（登録商標）、Ｗｉ−Ｆｉ、赤外線、ＮＦＣ、ＧＳＭ（登録商標）、ＧＰＲＳ、３Ｇ、４Ｇ  ＬＴＥ等のモバイルネットワークを介して、スマートフォン２０００に無線で接続可能とすることができる。さらに、動物タグリーダー１５００が試料採取器に設けられる実施形態の場合であっても、試料採取器は、好ましくは、これらの機能うちの１つ以上を容易にするために、スマートフォン又は他のポータブルコンピューティングデバイスと無線で接続することができる。
【０１２９】
代替実施形態では、試料採取器は、スマートフォン２０００又は他のポータブルコンピューティングデバイスを試料採取器の本体１００に一時的に取り付けるホルダー又は他の手段を備えることができる。試料採取器にスマートフォン２０００を物理的に取り付けることに加えて、幾つかの実施形態は、スマートフォン２０００が試料採取器に取り付けられている間に２つのデバイス間の有線データ接続のための手段（例えば、ＵＳＢプラグ接続）を提供することができる。
【０１３０】
好ましい実施形態では、試料採取器１、１’、１’’、１’’’はまた、収集装置２５０及び／又は格納容器５００の１つ以上の識別構成要素を読み取り、検知し、スキャンし、取り込み、及び／又は記録する試料ＩＤリーダー１６００も備える。
【０１３１】
例えば、収集装置２５０のプランジャー２５７又はパンチ２５１は、ＲＦＩＤタグ等の機械可読ＥＩＤタグを備えることができる。ＲＦＩＤシステムは、試料収集器の予期される製造及び使用状態に従って選択することができる。例えば、低周波数で動作する通常の受動タグ、能動リーダーシステムは、適切な単価で成形プラスチック構成要素に埋め込むために好適なロバストな識別デバイスを提供することができる。ＮＦＣ、又は高周波数（ＨＦ）若しくは超高周波数（ＵＨＦ）範囲で動作する受動若しくは能動タグシステム等の他のシステムもまた、手ごろな価格の有効な解決法を提供することができる。
【０１３２】
試料ＩＤがＲＦを介して送信される場合、収集装置２５０又は格納容器５００上のタグによって送信される電子ＩＤは、好ましくは、動物タグＩＤの搬送周波数とは異なる搬送周波数にわたる（ＲＦＩＤ動物タグが使用されるか又は使用されるように意図される場合）。例えば、試料ＩＤタグは、好ましくは、動物ＥＩＤに対してＩＳＯ準拠周波数である１３４．２ｋＨｚを超えて動作しない。これにより、２つのタグ付けシステムが互いに干渉しないことが確実になる。一例では、試料ＩＤシステムは、１２５ｋＨｚで動作する。
【０１３３】
試料ＩＤリーダー１６００は、試料が採取される前又は採取された後に、試料、収集装置２５０又は格納容器５００が占有する位置に隣接して、及び／又は試料を採取している間に収集装置２５０が通過する位置に隣接して、試料採取器に一体化するか又は取り付けることができる。試料ＩＤリーダー１６００の好適な位置の例は、図１〜図４にそれぞれ示す。
【０１３４】
図３及び図４の例では、試料ＩＤリーダー１６００は、試料が採取されるときに収集装置２５０が格納容器５００内に移動する場所に隣接して、脱着式リーダーユニット１０００の上に位置することができる。
【０１３５】
好ましくは、収集装置／パンチのマガジン２００が設けられる場合、装置は、試料を採取するためにその時点で使用されている実際の収集装置２５０又はパンチ２５１のＩＤのみを選択的に読み取る手段を有する。例えば、他の収集装置／パンチを、例えば、ＲＦＩＤ遮断材料、ファラデーケージからマガジン（の少なくとも一部）を製造することにより、試料ＩＤリーダー１６００によってスキャンされることから遮蔽することができる。
【０１３６】
別の例では、試料ＩＤリーダーは、直接隣接する収集装置２５０又はパンチ２５１（これは、使用の用意ができている、適所に移動した収集装置／パンチである）のみを読み取るように、非常に近い範囲に調整することができる。
【０１３７】
別の例では、試料ＩＤリーダーは、収集装置／パンチの使用前位置から離れて位置し、収集装置２５０又はパンチ２５１が試料を採取している間に通過する場所、又は収集装置２５０が試料を採取した後に最終的に位置する場所に隣接して配置される。この実施形態の１つの利点は、これにより、試料採取動作を自動的にかつ明白に検出する手段が提供されるということである。したがって、上述したように、試料採取動作の正確な時点を、試料ＩＤリーダーが試料ＩＤを取り込む時点に関連付けることができ、このデータを用いて、動物ＩＤを取り込むことと試料を採取することとの間の限られた時間制限を実施することができる。
【０１３８】
試料ＩＤが電子ＩＤではない、例えば、バーコード、ＱＲコード（登録商標）である可能性がある場合、試料ＩＤリーダーは、試料ＩＤを適切にスキャンし／読み取るように構成され、例えば、試料ＩＤリーダーは、カメラ、バーコードスキャナー、カメラを備えたスマートフォンとすることができる。
【０１３９】
幾つかの実施形態では、試料採取器は、位置データを提供する、ＧＰＳ又は他の３Ｄ位置記録若しくは追跡システムを備えることができる。さらに又は代替的に、試料採取器はまた、限定されないが、携帯電話ネットワークベースの三角測量、ＳＳＩＤ、ＭＡＣアドレス、又はＷＩ−Ｆｉアクセスポイントの他の識別子のＷｉ−Ｆｉアクセスポイントに関連する位置のパブリック又はプライベートデータベースとの相関によるＷｉ−Ｆｉベースのジオロケーションを含む、位置データを提供する、他の形態の測位技術を備えることができる。
【０１４０】
Ｗｉ−Ｆｉジオロケーションが使用される場合、この形態の位置的情報は、１つ以上の他の一般に使用される位置測定技法によって補足することができる。こうした技法としては、１つ以上のアクセスポイントからの信号強度に基づく位置の推定、指紋鑑定、２つ以上のアンテナ若しくはアクセスポイントが利用可能な場合の到来角ベースの技法、又は飛行時間技法を挙げることができる。
【０１４１】
例えば、試料採取器は、試料が採取された場所を取得するか又は推定するために、ＧＰＳ又は他の測位技術モジュール１７００を備えることができる。測位技術モジュールは、別個であって好ましくは試料採取器の手持ち式本体に接続可能又は関連付け可能な構成要素として設けることができ、又は、試料採取器の手持ち式本体と一体的とすることができる。手持ち式本体とは別個に設けられる場合、測位技術モジュール１７００は、スマートフォン２０００（存在する場合）によって提供することができる。測位技術モジュール１７００は、さらに、他の任意の市販の装置によって提供することができることが企図されている。
【０１４２】
測位技術モジュール１７００がスマートフォン２０００によって提供される場合、スマートフォンは、位置データを試料採取器に送信することができるように、試料採取器の近くに位置することができる。試料採取の実際の場所に十分近接していない位置データの記録による不正を防止するために、スマートフォン２０００が試料採取器と通信することができる範囲を制限することが好ましい可能性がある。こうした範囲の制限は、Ｂｌｕｅｔｏｏｔｈ（登録商標）又はＷｉ−Ｆｉ等、短距離通信プロトコルを使用することによって提供することができる。代替的に、試料採取器とスマートフォンとの間の有線接続を必要とすることにより、範囲の制限を提供することができる。これらの場合、試料採取している間、ユーザーはスマートフォンを所持することができ、又は、スマートフォンは、柵柱の上、近くの車両内等、近くに位置することができる。
【０１４３】
ＧＰＳなりすまし不正を防止し、収集された位置データを検証し、及び／又は位置データの精度を向上させるために、任意選択的に、追加の安全措置、例えば、バックアップ位置追跡システム、追加の基地局メタデータ、補助ＧＰＳを採用することができる。
【０１４４】
好ましい形態では、位置データの精度が、飼育場若しくは飼育場内の領域、又は個々の海洋領域の間で、必ずしも個々の動物又は植物のレベルである必要はないが、識別することができるようなものであることが望ましい、ということが企図される。しかしながら、代替形態では、陸又は海の特定の領域の間で決定することが可能であるように、より正確な位置データを提供することができる可能性がある。
【０１４５】
そして、位置データを記録し、試料（例えば、試料ＩＤ、動物ＩＤ、特定の試料に関連する他の関連情報）に関連付けることができる。このデータの関連付けは、試料採取器内で、スマートフォン２０００等の接続されたデバイスを介して、及び／又はデータセットがサーバー又はデータベースに転送された後に、行うことができる。
【０１４６】
位置データが試料に関連付けられる場合、不正を防止するために、試料が採取されることと試料採取器が測位技術モジュール１７００から位置データを取得することとの間の制限時間を提供することが望ましい可能性がある。試料が取得されることと位置データの取得との間の時間が制限時間を超える場合、試料採取器は、試料を拒否するか、又は、実験室での評価のためにこの情報を記録することができる。これは、第１の場所における動物の試料採取であるのに第２の場所から位置情報が提供されるということによる不正を防止するのに少なくとも幾分か助けになる可能性がある。
【０１４７】
試料採取と測位技術モジュール１７００からの位置情報の提供との間の時間を測定することに加えて、試料採取器は、位置データに対して特定の期間内にタイムスタンプを付与することが必要である可能性がある。これにより、測位情報のなりすまし及び試料採取器による不正確な位置データの記録を更に防止することができる。
【０１４８】
実験室では、時間タイムスタンプと各記録された試料の位置の位置とを、各関連する試料の間の時間と比較して、各連続的な試料採取の間に移動した距離が、その時間において可能であったか否かを判断することができる。この分析が行われる場合、利用される測位技術の精度及びタイプに応じて、幾分かの許容差を提供することができる。
【０１４９】
位置データに加えて、試料が採取される直前、採取されている間、採取された直後に、時刻及び日付、試料の場所の画像等の他の情報を取り込むことができ、データを互いに関連付けて、特定の試料に関連するデータタグの包括的な集まりを提供することができる。例えば、試料を採取するように試料採取器の引金を作動させることにより、これらの追加のデータの記録を同時に開始することができる。
【０１５０】
特定の試料に関連するデータタグの数及び種類を増加させることにより、概して、試料採取プロセス、試料追跡及び試料処理の安全性が向上する。さらに、これらのデータの収集を自動化することにより、各試料が採取される際に日付及び時刻を書き留める等、以前は手作業で行われていた場合があるステップをなくすか又は減らすことにより、労働コストが削減される。
【０１５１】
上述したように、取り込まれかつ特定の試料に関連付けられる位置データ又は他の情報は、試料チューブ５００に保管することができ、又は、試料採取器自体に、若しくは、存在する場合はスマートフォン２０００等、接続されたデバイスに、記憶することができる。試料採取器又は接続されたデバイスにおける記録データは、実験室で再検討するために所望の場所に瞬時にアップロードすることができ、又は、後の時点で、試料採取器に関連するメモリカードからデータを読み取ること等により、手動でアップロードすることができる。
【０１５２】
位置データ又は他の情報が試料に関連付けられ、かつ記憶されるか又は送信される場合、この位置データ又は他の情報は、まず、記憶又は送信の前に、試料採取器又は関連する接続されたデバイスのいずれかによって暗号化することができる。この暗号化は、偽造されたデータストリームの挿入等による、データの不正変更を防止するのに役立つことができる。データを復号するために必要な情報は、試料が再検討される実験室等、認可された最終ソースにおいて提供することができる。
【０１５３】
試料採取器を使用する前に、及び／又は試料を採取する前に、オペレーター認証を要求することにより、更なるセキュリティの層を提供することができる。試料採取器への直接のオペレーター入力を介して、試料採取器に設けられたスイッチ、タッチスクリーン、キーパッドを介して、オペレーターログインを行うことができる。代替的に、オペレーターは、代わりに、スマートフォン２０００等の接続されたデバイス上のアプリケーションを介して、ログインすることができる。
【０１５４】
代替的に、オペレーター入力の代わりに、バーコード、ＱＲコード（登録商標）、ユーザーのＩＤカード上のＥＩＤ、及び／又はユーザーの親指の指紋、眼球スキャン等のバイオメトリックデータ等、ユーザーに関連する１つ以上の識別子を検知し、読み取り、及び／又は認識することにより、ユーザーの認証情報を取得することができる。
【０１５５】
特に高い危険状況の場合、ユーザーに対して、試料採取プロセス全体を通して断続的に又は定期的にユーザー認証情報を入力するように促すことができる。好ましくは、こうした場合、試料採取器及び／又は接続されたデバイスは、特定の状況に対して必要なセキュリティに応じてユーザー入力促進の頻度を変更することができるように、構成可能とすることができる。
【０１５６】
図３及び図４に示す実施形態は、試料採取器本体１００に対して取付可能かつ取外し可能である、独立型のリーダーユニット１０００を備える試料採取器１’’の１つの特定の構成を示す。このリーダーユニット１０００は、好ましくは、動物タグリーダー１５００、試料ＩＤリーダー１６００及び記憶装置１１００を備える。幾つかの実施形態では、リーダーユニット１０００は、例えばスマートフォンとの無線通信のための通信モジュールを含む処理システムを更に備えることができる。脱着式リーダーユニット１０００はまた、ＧＰＳモジュール１７００、又は他の位置追跡構成要素も備えることができる。脱着式リーダーユニット１０００はまた、場合により、動物ＩＤリーダー１５００及び／又は試料ＩＤリーダー１６００として機能することができる、カメラ１８００も備えることができる。
【０１５７】
したがって、脱着式リーダーユニット１０００は、試料採取器１’’の本質的に全ての「スマート」構成要素を備えることができる。リーダーユニット１０００は、取外し可能な充電式バッテリー、ＵＳＢ充電、壁コンセント充電、誘導的充電等、任意の既知の方法を介して再充電可能とすることができる、それ自体のバッテリー１９００によって電力を供給することができるという点で、独立型とすることができる。リーダーユニット１０００は、好ましくは、完全に封止され、かつ耐候性、耐水性又は防水である。
【０１５８】
さらに、リーダーユニット１０００は、好ましくはそれ自体の記憶装置１１００、例えば、内蔵メモリ又は取外し可能メモリを含むため、試料採取器が依然として動作中である間に、試料採取器からホットスワップすることができる。すなわち、試料採取器が依然として動作中である間に、リーダーユニット１０００を別のリーダーユニットと交換することができる。これは、記憶装置１１００が一杯であるときに行うことができ、それにより、その後、データをサーバー又はデータベースにアップロードすることができる。
【０１５９】
好ましくは、リーダーユニット１０００は、試料採取器本体１００に対して取付可能かつ取外し可能であるように提供されているが、内蔵機能、若しくは存在する場合にスマートフォン２０００の接続された機能によって提供することができ、又は代替的に、試料採取器本体１００に対して取付可能若しくは取外し可能ではない、別の分離した要素として提供することができる、ということが企図される。スマートフォン２０００の例では、リーダーユニット１０００はまた、試料採取器本体１００に対して取り付けられるとともに取り外されることが可能であるようにすることができ、又は試料採取器本体に近接して提供することができる。例えば、リーダーユニット１０００が、スマートフォン２０００及び／又はそれに接続された他のデバイスから構成される場合、スマートフォンは、試料採取を行っているユーザーにより身体に又はユーザーの衣服に装着することができる。
【０１６０】
リーダーユニット１０００が、スマートフォン２０００及び／又はそれに接続された他の市販のデバイスによって構成されている場合、
【０１６１】
リーダーユニット１０００は、試料採取器本体１００に対して取付可能又は取外し可能でない場合、依然として、試料採取器から動物ＩＤ情報を受け取りかつ記録することができるように、試料採取器に近接して提供することができる。試料採取器及びリーダーユニット１０００は、ＲＦ、Ｗｉ−Ｆｉ、Ｂｌｕｅｔｏｏｔｈ（登録商標）等、任意の一般に使用される通信プラットフォームによって通信することができる。
【０１６２】
リーダーユニット１０００は、試料採取器本体に取り付けられていない間、好ましくは、試料採取器とリーダーユニットとの間の通信を容易にするように十分近接している。例えば、リーダーユニット１０００は、試料採取器のユーザーの身体上に、試料採取が行われている場所の近くの地面若しくは柵柱に、又は近くの車両の中若しくは上に位置することができる。
【０１６３】
図６に示すような幾つかの実施形態では、独立型のホットスワップ可能「スマート」リーダーユニット１０００を試料採取器から取り外すことができ、スマートリーダーユニットなしに試料採取器を使用することができる。１つの例では、試料採取器の正面に交換用格納容器ホルダー２２００を取り付けることができ、それにより、試料採取器は、基本的な「非スマート」装置として動作することができる。この「非スマート」格納容器ホルダー２２００は、単一の格納容器５００用のホルダーを備えることができ、又は、複数の格納容器５００を保持するマガジンを備えることができる。
【０１６４】
これにより、セキュリティリスクに応じて異なる環境に適合するように、試料採取器の汎用性を向上させることができる。すなわち、高リスク、高セキュリティ環境の場合、試料採取器は「スマート」リーダーユニット１０００と使用して、追加のセキュリティレベルを提供し、タンパリングのリスクを低減させることができ、より低リスクの環境では、リーダーユニット１０００を取り外し（かつ任意選択的に標準的な試料チューブホルダー２２００と交換し）、より安全性が低いが迅速な（より費用効率が高い可能性がある）試料採取を行うことができる。したがって、これにより、ユーザーに対して幾つかのオプション、すなわち、基本の低コストのシステムが提供され、それは、後に、必要な場合に「スマート」システムにアップグレードすることができる。
【０１６５】
幾つかの実施形態では、試料採取器本体１００は、電源及び／又は電子構成要素を備えていない場合もあり、したがって、システムの「スマート」構成要素については脱着式リーダーユニット１０００に依存する。
【０１６６】
他の実施形態では、独立型のホットスワップ可能「スマート」リーダーユニット１０００は、格納容器５００及び収集装置２５０両方を収納するように構成することができる。例えば、試料採取器１’’’によって受け取られるカセット３０３は、２つの異なる形態、すなわち、例えば、（図５ａに示すような）動物ＩＤリーダー１５００及び／又は試料ＩＤリーダー１６００、記憶装置１１００を備える「スマート」カセットと、基本「非スマート」カセットとの形態で、提供することができる。すなわち、試料採取器１’’’は、「スマート」カセット／リーダーユニット、又は依然として試料採取器が基本試料採取手順を行うのを可能にする基本「非スマート」カセットのいずれかを受け取るように構成することができる。
【０１６７】
試料採取器が基本の「非スマート」装置として動作する場合、システムの本明細書に記載するスマートのうちの少なくとも幾つかを提供するために、別個のスマートデバイス２０００を設けることができる。例えば、スマートデバイスは、ＲＦＩＤタグを読み取ることができる場合、収集装置２５０又はパンチ２５１のプランジャー２５７又はパンチ２５１上のＲＦＩＤタグ等のＥＩＤタグをスキャンし、その後、関連する動物ＩＤもまた取得するために使用することができる。関連する動物ＩＤもまた、ＲＦＩＤタグの形式とすることができ、又は、本明細書に記載する他の形態の動物ＩＤのうちの任意の１つ以上の形式とすることができる。
【０１６８】
具体的には、スマートデバイスは、収集装置２５０又はパンチ２５１のＲＦＩＤタグをスキャンし、その後、スマートフォンの内蔵測位システムから位置データポイントも取得することができる。そして、これらの情報を互いに関連付け、後に転送又は分析するために、スマートデバイスに記憶することができる。
【０１６９】
任意の１つ以上の他の形式の動物ＩＤはまた、同時に、又は好ましくは所定期間内に取得することができる。例えば、ユーザーは、スマートデバイス２０００を用いて動物の写真を撮影することができる。ユーザーによって追加の動物ＩＤが提供される場合、動物ＩＤが有効に記録されるために、試料採取の後、又は収集装置若しくはパンチのスキャンの後の最大時間閾値が必要とされる場合がある。本明細書に記載するように、時間閾値が満たされない場合、スマートデバイス２０００は、試料を拒否し、再度の試料採取を要求することができ、又は、他の動物ＩＤ情報とともに、閾値が超えられたという事実を記録することができる。
【０１７０】
不正を防止し、スマートデバイスによってスキャンされる収集装置２５０又はパンチ２５１が正しい試料と関連付けられるのを確実にするために、スマートデバイス及び試料採取器のいずれか又は両方は、試料採取プロセス中にのみ収集装置２５０又はパンチ２５１をスキャンすることができるように構成することができる。こうした構成は、試料採取の前の収集装置若しくはパンチの遮蔽、又は、試料採取器本体に関するスマートデバイス２０００の特定の場所を含むことができる。
【０１７１】
試料採取器が、「基本の」、「非スマート」装置として動作し、別個のスマートデバイス２０００が提供される実施形態では、スマートデバイスによって検知するか又は取り込むことができる１つ以上の形式の動物ＩＤは、実験室等の所望の格納所に即座に若しくは一定期間保留した後に送信されるように、スマートデバイスに記憶することができ、又は関連する収集装置２５０若しくはパンチ２５１に送信しそこで記憶することができる。
【０１７２】
図７及び図８は、試料採取装置及び試料採取プロセスの特定の例示的な実施形態を詳述する概略フローチャートである。これらのフローチャートに示すステップ及び順序付けは、例示の目的で提供されていることが理解されよう。したがって、本発明の範囲から逸脱することなく、記載する構成要素又はステップのうちの任意の１つ以上を変更するか又はなくすことができ、及び／又は、プロセスのステップを、適切に異なる順序に再配置することができる。
【０１７３】
図７及び図８を参照すると、マイクロプロセッサ１１５０等の処理ユニットが、試料採取器の動作を制御して、ウェイクアップ時（例えば、ユーザー認証情報を受け入れた後）、最初に、ＧＰＳモジュール１７００（設けられている場合）にアクセスすることにより、試料採取器の位置座標について問い合わせることができるようにする。考察したように、ＧＰＳモジュールの代わりは、ユーザー入力を通して取得される、他の位置的追跡又は三角測量システムとすることができる。
【０１７４】
１つの例では、マイクロプロセッサメモリ１１６０に記憶された最新の位置座標は、初期位置変数として使用され、これは、ＧＰＳモジュール１７００によって定期的に更新される。幾つかの実施形態では、ＧＰＳモジュールが位置データを探索している間、試料採取器１、１’、１’’、１’’’のＬＥＤ１１８０又は他の聴覚、視覚又は触覚フィードバック構成要素が、ＧＰＳがロックされており及び／又はウォーミングアップしているという信号を返し、それにより、ユーザーに対し、ＧＰＳがＧＰＳ座標をうまく返すまで待つように通知される。
【０１７５】
ＧＰＳ座標が返されると、ユーザーは、その後、格納容器５００を格納容器ホルダー３００内に挿入することができる。幾つかの実施形態では、格納容器を挿入することにより、マイクロスイッチ１１７０又は他のスイッチがトリガーされ、その後、次の動作ステップ（例えば、動物タグの読取り）がトリガーされる。マイクロスイッチのトリガーは、（必要のない場合に、動物タグリーダー１５００及び／又は試料ＩＤリーダー１６００をオフにすることにより）試料採取装置のバッテリーを節約し、及び／又は格納容器５００が適所にあるときにのみ試料が採取されるのを確実にするのに役立つことができる。
【０１７６】
代替実施形態では、ＧＰＳモジュール又は他の測位技術がＧＰＳ座標又は他の位置情報を取得する前又は取得している間、格納容器５００を挿入することができる。この場合、マイクロスイッチを設ける必要はなく、ＧＰＳ座標が取得されるとすぐに、試料採取器は使用の用意ができ得る。例えば、ＧＰＳ信号が弱いか又は入手可能でない可能性がある場所で使用する場合、認可されたユーザーによりＧＰＳ要求を無効にすることができることも理解されよう。位置データなしに試料採取が続くのを可能にする無効化は、所定期間、測位を決定するために必要な信号若しくは情報が利用可能でないか、若しくは所望の閾値未満であるか、又は、十分な権利のあるユーザーによる場合にのみ、動作することができることが好ましい。
【０１７７】
高リスク環境では、位置データが提供されなければ試料採取が継続することができないように、無効化を省略することが好ましい場合がある。こうした状況では、試料採取器が、屋内、又は合法的に位置データを取得する機能がない場所等、最大数の物理的場所で使用することができるのを確実にするために、試料採取器に複数の測位技術を提供するか、又は、位置データの代わりに提供しなければならない代替形式の動物ＩＤを提供することが好ましい場合がある。代替形式の動物ＩＤを提供することができる場合、それらは、位置データを取得することができずに所定時間が経過した後にのみ、利用可能であることが好ましい。
【０１７８】
例えば、図２に示すように、収集装置のマガジンが設けられていない幾つかの実施形態では、次の試料を採取する前に、新たな収集装置２５０又はパンチ２５１を個々に挿入しなければならない。収集装置／パンチは、格納容器５００が格納容器ホルダー３００内に挿入される前又は挿入された後のいずれかにおいて、試料採取器１に挿入することができる。
【０１７９】
例えば、図１に示すように、試料採取器に収集装置のマガジンが設けられている他の実施形態では、ユーザーは、格納容器５００が格納容器ホルダー内に挿入される前又は挿入された後のいずれかにおいて、新たな収集装置２５０を適所に配置するようにマガジンを作動させる（例えば、回転させる）ことができる。
【０１８０】
ユーザーに対して、チューブ５００及び／又は収集装置／パンチを挿入するように促し、その後、ユーザーに対して、装置が動物タグ２１００をスキャンする用意ができていることを通知するために、例えばＬＥＤ１１８０を介して、対応する視覚、聴覚又は触覚フィードバックを提供することができる。
【０１８１】
そして、ユーザーは、（例えば、ＲＦＩＤを介して、又は写真の撮影若しくはバーコードスキャンにより）動物ＩＤをスキャンし／取り込み、動物ＩＤはメモリ１１６０に記憶される。この段階で、タイマーを起動することができ、それにより、試料を採取すべき所定制限時間へのカウントダウンが開始する。このカウントダウンは、聴覚、視覚又は触覚フィードバックを介してユーザーに示すことができる。
【０１８２】
そして、ユーザーは、例えば、試料を取り除くようにパンチ２５１又は収集装置２５０を物品又は動物にわたって又はそれを通して、その後、格納容器５００内に押し込むように、試料採取器１、１’、１’’、１’’’の引金／ハンドルを起動することにより、試料を採取する。パンチ２５１又は収集装置２５０が試料ＩＤリーダー１６００を通過する際、パンチ２５１又は収集装置２５０のＩＤが読み取られ、メモリ、例えば、リーダーユニットの記憶装置１１００に記憶される。同時に、又は試料採取プロセス中の他の任意の時点で、タイムスタンプを、タイムスタンプが採取された個々の試料に明白に関連する限り、記録することができる。
【０１８３】
しかしながら、タイマーによって設定された制限時間内で試料が採取されない場合、マイクロプロセッサ１１５０は、以下の応答のうちの任意の１つ以上を初期化することができる。１つの実施形態では、視覚、聴覚又は触覚フィードバックを介して、警告をユーザーに表示することができる。そして、マイクロスイッチ１１７０はオフに切り替わることができ、ユーザーは、マイクロスイッチを再起動するためにパスワードを入力する（又は他の応答、例えば、格納容器を取り外して格納容器ホルダー３００内の適所に再配置する）ように促される。そして、これにより、動物タグリーダー１５００を再起動することができ、ユーザーは、次いで、動物タグを再スキャンし、その後、制限時間内で試料を採取するように促される。
【０１８４】
別の実施形態では、視覚、聴覚又は触覚警告が起動された後、ユーザーに対して、動物タグを再スキャンするように促すことができ、再スキャンされたＩＤは、メモリ１１６０において元のＩＤ変数と置き換わることができる。その後、ユーザーは、制限時間内に動物試料を採取することができる。
【０１８５】
別の実施形態では、視覚、聴覚又は触覚警告が起動された後、ユーザーは、試料を採取し続けることができるが、データ警告タグが生成され、試料に関連付けられ、メモリに記憶される。このように、データが後に処理されるとき、分析者に対して、その特定の試料が、規定された制限時間外に採取されたという事実について注意が喚起される。データ警告タグを生成するこのステップは、上記応答プロセスのうちの任意のものに適用することができる。
【０１８６】
別の実施形態では、動物ＩＤが取り込まれた時点で第１のタイムスタンプが記録され、試料が採取された時点で第２のタイムスタンプが記録される（又は試料採取手順に応じて逆も可能であり、すなわち、ユーザーが動物ＩＤを記録する前に最初に試料を採取する必要がある場合、試料が採取される際に第１のタイムスタンプを記録することができ、動物ＩＤが取り込まれるときに第２のタイムスタンプを記録することができる）。実験室では、タイムスタンプデータを分析して、（もしあれば）いずれの試料が要求された制限時間外で処理されたかに目印を付けることができる。
【０１８７】
タイムスタンプ記録は、さらに又は代替的に、試料採取プロセスの他のステップ、例えば、試料ＩＤの記録、試料チューブの封止、ユーザー認証情報の入力及び認証を記録するために使用することができ、任意の２つのステップの間の時間を（リーダーユニットのプロセッサによって直接であっても実験室においても）分析することができる。
【０１８８】
１つの実施形態では、パンチ２５１又は収集装置２５０のＩＤがうまく取得されない場合にもまた、警告を提供することができる。これは、例えば、収集装置のマガジンが空であり再充填される必要がある場合、又は、パンチ若しくは収集装置２５０のＲＦＩＤが適切にスキャンされなかった／取り込まれなかった場合に発生する可能性がある。こうした場合、視覚、聴覚又は触覚警告を起動することができ、ユーザーに対して、新たな収集装置２５０を挿入し、試料採取プロセス全体を再開するように促すことができる。
【０１８９】
上記試料採取器１’’’に関して記載したように、試料チューブ５００が２段階プロセスでシール２６０によって封止される幾つかの実施形態では、試料を採取することと試料チューブ５００を封止することとの間の時間を、更に又は代替的に制限することができる。すなわち、試料採取器１’’’が、収集装置２５０を駆動し試料を採取するように作動したとき、上記又は別のタイマーを起動する（又は、第２のタイムスタンプを記録する）ことができる。試料採取器１’’’が、シールを試料チューブ５００内に押し込むように作動すると、タイマーは停止することができ、又はタイムスタンプを記録することができ、このステップが事前設定された制限時間内でない場合、これにより、動物ＩＤの取込みと試料の採取との間の時間に関して上述したように、１つ以上の応答、例えば、試料採取器の動作停止、聴覚、視覚、触覚フィードバックをトリガーすることができる。
【０１９０】
代替的に、上述したように、試料を採取することと、試料チューブを封止することとの間の時間が制限時間を超えた場合、警告データタグを記録し、実験室で再検討することができる。
【０１９１】
代替的に、試料が採取されるときに第１のタイムスタンプを記録することができ、及び／又は動物ＩＤが取り込まれるときに第１のタイムスタンプを記録することができ、試料チューブに蓋が付けられるときに第２のタイムスタンプを記録することができ、タイムスタンプデータは、実験室で後に分析されるように、メモリにおいて試料に関連付けることができる。
【０１９２】
好ましい実施形態では、採取された各試料は、関連するデータの記録を有し、それは、メモリに記憶するか又は外部デバイスに送信することができる。データの記録は、少なくともｉ）動物ＩＤとｉｉ）試料識別情報とを含む。幾つかの実施形態では、試料識別情報は、収集装置及び／又は格納容器と（例えば、収集装置及び／又は格納容器の機械可読コード又はＥＩＤを介して）関連付けられる。他の実施形態では、試料識別情報を特定の順序に関連付けることができ、この特定の順序で、収集装置及び／又は格納容器の順序付けられた／番号が付されたアレイが試料採取器に提供される。
【０１９３】
幾つかの実施形態では、データの記録は、上述したように試料に関連する追加の情報、例えば、タイムスタンプ、データ警告タグ、写真、ＧＰＳデータ、ユーザー認証情報を更に含む。したがって、特定の試料に関連する複数の情報の記録と各試料を自動的に関連付けて、試料採取プロセスの効率及び安全性を向上させ、不正を防止することができる。
【０１９４】
１つの動物に対する完全な試料採取プロセスが完了すると、マイクロプロセッサメモリ１１６０に記憶されたデータを記憶装置１１００に転送することができる。そして、次の試料に対して装置を初期化することができ、例えば、マイクロプロセッサメモリ１１６０を消去することができる。バッテリーを節約するために、試料採取器が所定期間、例えば、３０分間使用されない場合、マイクロプロセッサは、装置をスリープ又はスタンバイモードにすることができる。（ユーザーログイン、スイッチを起動すること、格納容器５００を挿入することによって行うことができる）ウェイクアップ時、上述したように、マイクロプロセッサは、ＧＰＳ座標を更新するようにＧＰＳモジュール１７００を起動することができる。
【０１９５】
上記説明において視覚、聴覚又は触覚フィードバック又は警告を示すが、フィードバックは、ユーザーが、発生している正確な問題／事象を識別するのに役立つように、特定の事象又は一組の関連事象に一意であり、例えば、特定のＬＥＤ色、特定の回数又はパターンの可聴ビープであり得ることが理解されるべきである。別の例では、接続されたデバイス、例えばスマートフォン２０００のユーザーインターフェースに、フィードバック又は警告を表示することができる。
【０１９６】
本発明の上述した記載は、本発明の好ましい形態を含む。本発明の範囲から逸脱することなく、上記記載に対して変更を行うことができる。
【図１】
2019510230.tif 000003
【図２】
2019510230.tif 000004
【図３ａ】
2019510230.tif 000005
【図３ｂ】
2019510230.tif 000006
【図３ｃ】
2019510230.tif 000007
【図４ａ】
2019510230.tif 000008
【図４ｂ】
2019510230.tif 000009
【図５ａ】
2019510230.tif 000010
【図５ｂ】
2019510230.tif 000011
【図５ｃ】
2019510230.tif 000012
【図５ｄ】
2019510230.tif 000013
【図６】
2019510230.tif 000014
【図７】
2019510230.tif 000015
【図８】
2019510230.tif 000016
【図９】
2019510230.tif 000017
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
動物から試料を採取して取り除くシステムであって、
Ａ）試料採取器であって、
ｉ．生体試料（以下、「試料」）を受け取りかつ格納することができる格納容器を収容するために使用されるように適合された格納容器ホルダーと、
ｉｉ．試料収集装置を収容するために使用されるように適合された試料収集装置ホルダーと、
ｉｉｉ．前記試料を採取すべき物品を収容するために、前記格納容器ホルダーと前記試料収集装置ホルダーとの間に設けられた試料除去領域と、
ｉｖ．前記試料収集装置ホルダーから試料収集装置を、前記物品から試料を取り除くように駆動して格納容器内に押し込むように適合されたアクチュエーターと、
を保持する手持ち式本体を備えた試料採取器と、
Ｂ）リーダーユニットであって、
ｉ．前記収集装置及び／又は前記格納容器に関連する識別情報（以下、「試料情報」）を取り込むように適合された試料識別リーダーと、
ｉｉ．前記試料を採取すべき前記物品に関連する識別情報（以下、「動物ＩＤ」）を取り込むように適合された動物ＩＤリーダーと、
を備えるリーダーユニットと、
を備え、
前記リーダーユニットは、
ａ）前記動物ＩＤを取り込むことと前記試料を採取することとの間、及び／又は、
ｂ）前記試料を採取することと前記動物ＩＤを取り込むこととの間、
の時間を測定し及び／又は記録して、該測定された及び／又は記録された時間を所定時間と比較するように構成され、
前記測定された及び／又は記録された時間が前記所定時間を超える場合、前記試料採取器又は前記リーダーユニットは、聴覚、視覚又は触覚フィードバックのうちの少なくとも１つを提供する、システム。
【請求項２】
試料採取器であって、
手持ち式本体であって、
ａ．生体試料（以下、「試料」）を受け取りかつ格納することができる格納容器を収容するために使用されるように適合された格納容器ホルダーと、
ｂ．試料収集装置を収容するために使用されるように適合された試料収集装置ホルダーと、
ｃ．前記試料を採取すべき物品を収容するために、前記格納容器ホルダーと前記試料収集装置ホルダーとの間に設けられた試料除去領域と、
ｄ．前記試料収集装置ホルダーから試料収集装置を、前記物品から試料を取り除くように駆動して格納容器内に押し込むように適合されたアクチュエーターと、
を保持する手持ち式本体と、
前記手持ち式本体に係合するリーダーユニットであって、
ｉ．前記収集装置及び／又は前記格納容器に関連する識別情報（以下、「試料情報」）を取り込むように適合された試料識別リーダーと、
ｉｉ．前記試料を採取すべき前記物品に関連する識別情報（以下、「動物ＩＤ」）を取り込むように適合された動物ＩＤリーダーと、
を備えるリーダーユニットと、
を備え、
前記リーダーユニットは、
ｃ）前記動物ＩＤを取り込むことと前記試料を採取することとの間、及び／又は、
ｄ）前記試料を採取することと前記動物ＩＤを取り込むこととの間、
の時間を測定し及び／又は記録して、該測定された及び／又は記録された時間を所定時間と比較するように構成され、
前記測定された及び／又は記録された時間が前記所定時間を超える場合、該試料採取器又は前記リーダーユニットは、聴覚、視覚及び触覚フィードバックのうちの少なくとも１つを提供する、試料採取器。
【請求項３】
前記リーダーユニットは、動物ＩＤ及び／又は試料情報を外部デバイスに送信する送信器を備える、請求項２に記載の試料採取器。
【請求項４】
前記リーダーユニットは、前記手持ち式本体に係合可能な形態であるとき、前記格納容器ホルダーを備える、請求項２又は３に記載の試料採取器。
【請求項５】
前記リーダーユニットは、前記手持ち式本体に係合可能な形態であるとき、前記格納容器ホルダーと前記収集装置ホルダーとを備える、請求項２〜４のいずれか一項に記載の試料採取器。
【請求項６】
前記格納容器ホルダー及び前記収集装置ホルダーのうちの少なくとも一方は、前記手持ち式本体に永久的に係合している、請求項２〜５のいずれか一項に記載の試料採取器。
【請求項７】
前記リーダーユニットは、前記手持ち式本体に係合可能な形態であるとき、前記試料採取器から取外し可能であり、基本ユニットと交換可能であり、該基本ユニットは、
Ａ）ａ．前記格納容器ホルダー、及び、
ｂ．前記収集装置ホルダー、
のうちの少なくとも一方、又は、
Ｂ）ａ．同様の格納容器ホルダー、及び、
ｂ．同様の収集装置ホルダー、
のうちの少なくとも一方、
を備える、請求項２〜６のいずれか一項に記載の試料採取器。
【請求項８】
前記試料識別リーダーによって読み取られる前記試料情報は、前記収集装置及び／又は前記格納容器に関連する機械可読ＩＤ及び電子ＩＤのうちの１つ以上を含む、請求項２〜７のいずれか一項に記載の試料採取器。
【請求項９】
前記動物ＩＤリーダーによって読み取られる前記動物ＩＤは、前記試料を採取すべき前記物品に関連する機械可読ＩＤ及び電子ＩＤのうちの１つ以上を含む、請求項２〜８のいずれか一項に記載の試料採取器。
【請求項１０】
収集装置が前記収集装置ホルダーから（好ましくは前記物品を通して）押し出されて物品から試料を取り除く時点である、前記試料を採取する時点は、前記試料情報の前記取込みに対応する、請求項２〜９のいずれか一項に記載の試料採取器。
【請求項１１】
各リーダーは、互換性のあるＥＩＤ通信によりそれぞれの識別情報を取り込むように構成されている、請求項２〜１０のいずれか一項に記載の試料採取器。
【請求項１２】
前記試料リーダー及び前記タグリーダーは、ＥＩＤ通信に対して異なる周波数を利用する、請求項１１に記載の試料採取器。
【請求項１３】
前記リーダーユニットは、
ａ）試料情報を取り込むことと、
ｂ）動物ＩＤを取り込むことと、
ｃ）ｉ）試料採取される前記物品、
ｉｉ）試料採取の場所、
ｉｉｉ）試料採取手順、
のうちの１つ以上に関連する補助データを取得することと、
のうちの１つ以上に対して構成されたカメラを備える、請求項２〜１２のいずれか一項に記載の試料採取器。
【請求項１４】
前記リーダーユニットは位置追跡システムを備える、請求項２〜１３のいずれか一項に記載の試料採取器。
【請求項１５】
前記リーダーユニットは、
ａ）タイマー、及び／又は、
ｂ）タイムスタンプを取得し、記録し、及び／又は送信する手段、
を備える、請求項２〜１４のいずれか一項に記載の試料採取器。
【請求項１６】
前記測定された及び／又は記録された時間が前記所定時間を超える場合、該試料採取器又は前記リーダーユニットは、ユーザーに対して新たな試料を採取するように促す、請求項２〜１５のいずれか一項に記載の試料採取器。
【請求項１７】
前記測定された及び／又は記録された時間が前記所定時間を超える場合、前記試料採取器は、前記アクチュエーター（複数の場合もある）が作動するのを阻止することにより動作停止する、請求項２〜１６のいずれか一項に記載の試料採取器。
【請求項１８】
前記測定された及び／又は記録された時間が前記所定時間を超える場合、前記試料採取器は、前記試料に関連する警告データタグを記録する、請求項２〜１７のいずれか一項に記載の試料採取器。
【請求項１９】
前記所定時間は約２秒間〜２０秒間である、請求項２〜１８のいずれか一項に記載の試料採取器。
【請求項２０】
前記リーダーユニットはタグリーダーを備え、
前記リーダーユニットは、前記動物ＩＤが取り込まれる時点でタイムスタンプを記録し、
前記リーダーユニットは、前記試料が採取される時点で別のタイムスタンプを記録する、請求項２〜１９のいずれか一項に記載の試料採取器。
【請求項２１】
試料採取器を用いて、物品から生体試料を採取し、該試料を格納容器内に配置する方法であって、前記試料採取器は、
前記生体試料（以下、「試料」）を受け取る格納容器を収容するために使用されるように適合された格納容器ホルダーと、
試料収集装置を収容するために使用されるように適合された試料収集装置ホルダーと、
前記試料を採取すべき前記物品を収容するために、前記格納容器ホルダーと前記試料収集装置ホルダーとの間に設けられた試料除去領域と、
前記試料収集装置ホルダーから前記試料収集装置を、前記物品から前記試料を取り除くように駆動して前記格納容器内に押し込むように適合されたアクチュエーターと、
前記試料を採取すべき前記物品に関連する識別情報（以下、「物品ＩＤ」）を取り込むように適合されたＩＤリーダーと、
を提示する手持ち式本体を備え、該方法は、
ａ）前記試料採取器に、前記格納容器ホルダー及び前記試料収集装置ホルダーそれぞれにおいて格納容器及び試料収集装置を提供することと、
ｂ）前記物品から試料を取り除くように前記アクチュエーターを駆動することと、
ｃ）前記物品ＩＤを取り込むことと、
を含み、
ステップ（ｂ）がステップ（ｃ）の前に発生するか後に発生するかに関わらず、ステップ（ｂ）とステップ（ｃ）との間の時間（以下、「試料採取時間」）がモニタリングされ、及び／又はステップ（ｂ）及びステップ（ｃ）の各々の時点がタイムスタンプとして記録され、前記試料採取時間は所定制限時間と比較され、前記試料採取時間が前記所定制限時間より長い場合、ユーザーに対して聴覚、視覚及び触覚フィードバックのうちの少なくとも１つが提供される、方法。
【請求項２２】
試料採取器を用いて、物品から試料を採取し、該試料を格納容器内に配置する方法であって、前記試料採取器は、
生体試料（以下、「試料」）を受け取る格納容器を収容するために使用されるように適合された格納容器ホルダーと、
試料収集装置を収容するために使用されるように適合された試料収集装置ホルダーと、
前記試料を採取すべき前記物品を収容するために、前記格納容器ホルダーと前記試料収集装置ホルダーとの間に設けられた試料除去領域と、
前記試料収集装置ホルダーから前記試料収集装置を、前記物品から前記試料を取り除くように駆動して前記格納容器内に押し込むように適合されたアクチュエーターと、
前記試料を採取すべき前記物品に関連する識別情報（以下、「物品ＩＤ」）を取り込むように適合されたＩＤリーダーと、
を提示する手持ち式本体を備え、該方法は、
ａ）前記試料採取器に、前記格納容器ホルダー及び前記試料収集装置ホルダーそれぞれにおいて格納容器及び試料収集装置を提供することと、
ｂ）前記物品から試料を取り除くように前記アクチュエーターを駆動することと、
ｃ）前記物品ＩＤを取り込むことと、
を含み、
ステップ（ｂ）がステップ（ｃ）の前に発生するか後に発生するかに関わらず、ステップ（ｂ）とステップ（ｃ）との間の時間（以下、「試料採取時間」）がモニタリングされ、及び／又はステップ（ｂ）及びステップ（ｃ）の各々の時点がタイムスタンプとして記録され、前記試料採取時間は所定制限時間と比較され、前記試料採取時間が前記所定制限時間より長い場合、ユーザーに対して聴覚、視覚及び触覚フィードバックのうちの少なくとも１つが提供される、方法。
【請求項２３】
前記試料採取時間が前記所定制限時間より長い場合、前記ユーザーに対して前記試料採取プロセスを再開するように促すことを更に含む、請求項２２に記載の方法。
【請求項２４】
ステップ（ｂ）がステップ（ｃ）の後に発生する場合に前記試料採取時間がモニタリングされ、それにより、該試料採取時間が前記所定制限時間を超えた場合、前記アクチュエーターの前記駆動が前記試料採取器によって阻止される、請求項２２又は２３に記載の方法。
【請求項２５】
前記試料採取時間が前記所定制限時間より長く、かつ前記試料採取器が、前記アクチュエーター（複数の場合もある）が作動するのを阻止することにより動作停止する場合、前記ユーザーは、前記試料採取器を再起動するために、ユーザーログイン詳細を入力すること及びユーザー認証情報を取り込むことのうちの１つ以上を含む１つ以上の認可ステップを行い、及び／又は前記試料採取プロセスを再開しなければならない、請求項２４に記載の方法。
【請求項２６】
前記試料採取時間が前記それぞれの所定制限より長い場合、前記試料に関連付けられた警告データタグを記録し又は割り当てることを更に含む、請求項２２〜２５のいずれか一項に記載の方法。
【請求項２７】
前記警告データタグは前記物品ＩＤに関連付けられる、請求項２６に記載の方法。
【請求項２８】
前記警告データタグは、前記収集装置及び前記格納容器の両方のうちの一方によって所持される情報に関連付けられる、請求項２６又は２７に記載の方法。
【請求項２９】
ステップ（ｂ）及びステップ（ｃ）が発生する時点がタイムスタンプとして記録され、該記録されたタイムスタンプは前記試料に関連付けられる、請求項２２〜２８のいずれか一項に記載の方法。
【請求項３０】
前記タイムスタンプは、好ましくは別個の記憶装置において、及び／又は前記手持ち式本体に関連する記憶装置において、記録され、前記収集装置及び前記格納容器のうちの一方又は両方によって所持される情報に関連付けられる、請求項２９に記載の方法。
【請求項３１】
前記タイムスタンプは、好ましくは別個の記憶装置において、及び／又は前記手持ち式本体に関連する記憶装置において、前記物品ＩＤに関連付けられる、請求項２９又は３０に記載の方法。
【請求項３２】
前記収集装置が、前記収集装置ホルダーから押し出され、前記物品から前記試料を取り除くように駆動される際、該収集装置に関連する識別情報（以下、「試料情報」）を取り込むことであって、前記試料を採取する時点は、前記試料情報の前記取込みに対応することを更に含む、請求項２２〜３１のいずれか一項に記載の方法。
【請求項３３】
試料採取器であって、
ａ．生体物品から生体試料（以下、「試料」）を受け取りかつ格納することができる格納容器を保持することができ、
ｂ．試料収集装置を、前記格納容器及び該試料収集装置の中間で、前記試料を取り除くべき前記物品の部分を収容するために十分なサイズの前記格納容器から間隙によって分離されるように保持することができる、
場所において試料採取領域を画定する手持ち式本体を備え、
前記手持ち式本体は、前記試料収集装置を、前記間隙の一方の側から該間隙を横切り、前記物品から前記試料を取り除くように駆動し、前記格納容器内に押し込むように適合されたアクチュエーターを支持する、試料採取器と、
前記手持ち式本体に取外し可能に係合可能なリーダーユニットであって、
ｉ．前記収集装置及び／又は前記格納容器に関連する識別情報（以下、「試料情報」）を取り込むように適合された試料識別リーダーと、
ｉｉ．前記試料を採取すべき前記物品に関連する識別情報（以下、「物品ＩＤ」）を取り込むように適合された物品ＩＤリーダーと、
のうちの１つ以上を備えるリーダーユニットと、
を備え、
前記リーダーユニットは、
ａ）前記物品ＩＤを取り込むことと前記試料を採取することとの間、及び／又は、
ｂ）前記試料を採取することと前記物品ＩＤを取り込むこととの間、
の時間を測定し及び／又は記録して、該測定された及び／又は記録された時間を所定時間と比較するように構成され、
前記測定された及び／又は記録された時間が前記所定時間を超える場合、前記手持ち式本体又は前記リーダーユニットは、聴覚、視覚及び触覚フィードバックのうちの少なくとも１つを提供し、
第１の使用モードでは、前記試料採取器は、前記リーダーユニットが前記手持ち式本体に係合した状態で、前記格納容器を保持することができる前記間隙の一方の側における格納容器保持領域と、前記試料収集装置を保持することができる試料収集装置保持領域とを提示し、
第２の使用モードでは、前記試料採取器は、前記リーダーユニットが前記手持ち式本体に係合していない状態で、前記格納容器を保持することができる前記間隙の一方の側における格納容器保持領域と、前記試料収集装置を保持することができる試料収集装置保持領域とを提示する、試料採取システム。
【請求項３４】
試料採取器であって、
ａ．生体物品から生体試料（以下、「試料」）を受け取りかつ格納することができる格納容器を保持することができ、
ｂ．試料収集装置を、前記格納容器及び該試料収集装置の中間で、前記試料を取り除くべき前記物品の部分を収容するために十分なサイズの前記格納容器から間隙によって分離されるように保持することができる、
場所において試料採取領域を画定する手持ち式本体を備え、
前記手持ち式本体は、前記試料収集装置を、前記間隙の一方の側から該間隙を横切り、前記物品から前記試料を取り除くように駆動し、前記格納容器内に押し込むように適合されたアクチュエーターを支持する、試料採取器と、
前記手持ち式本体に取外し可能に係合可能な、又は該手持ち式本体から離れているが近接して位置することができるリーダーユニットであって、
ａ．前記収集装置及び／又は前記格納容器に関連する識別情報（以下、「試料情報」）を取り込むように適合された試料識別リーダーと、
ｂ．前記試料を採取すべき前記物品に関連する識別情報（以下、「物品ＩＤ」）を取り込むように適合された物品ＩＤリーダーと、
のうちの１つ以上を備えるリーダーユニットと、
を備え、
前記リーダーユニットは、
ａ）前記物品ＩＤを取り込むことと前記試料を採取することとの間、及び／又は、
ｂ）前記試料を採取することと前記物品ＩＤを取り込むこととの間、
の時間を測定し及び／又は記録して、該測定された及び／又は記録された時間を所定時間と比較するように構成され、
前記測定された及び／又は記録された時間が前記所定時間を超える場合、前記手持ち式本体又は前記リーダーユニットは、聴覚、視覚及び触覚フィードバックのうちの少なくとも１つを提供し、
第１の使用モードでは、前記試料採取器は、前記リーダーユニットが前記手持ち式本体に係合した状態で、前記格納容器を保持することができる前記間隙の一方の側における格納容器保持領域と、前記試料収集装置を保持することができる試料収集装置保持領域とを提示し、
第２の使用モードでは、前記試料採取器は、前記リーダーユニットが前記手持ち式本体に係合していない状態で、前記格納容器を保持することができる前記間隙の一方の側における格納容器保持領域と、前記試料収集装置を保持することができる試料収集装置保持領域とを提示する、試料採取システム。
【請求項３５】
前記格納容器保持領域は、前記手持ち式本体と一体的に形成されている、請求項３３又は３４に記載の試料採取システム。
【請求項３６】
前記試料収集装置保持領域は、前記手持ち式本体と一体的に形成されている、請求項３３〜３５のいずれか一項に記載の試料採取システム。
【請求項３７】
前記手持ち式本体に取外し可能に係合可能な基本ユニットを更に備え、該基本ユニットは、前記第２の使用モード中に前記手持ち式本体に係合する、請求項３３〜３６のいずれか一項に記載の試料採取システム。
【請求項３８】
前記第１の使用モード中、前記リーダーユニットは、前記試料が取り除かれる間、試料情報及び物品ＩＤのうちの少なくとも一方を取り込む、請求項３３〜３７のいずれか一項に記載の試料採取システム。
【請求項３９】
試料採取システムであって、
（ｉ）手持ち式本体であって、
ａ．生体物品から生体試料（以下、「試料」）を受け取りかつ格納することができる格納容器を収容するために使用されるように適合された格納容器ホルダーと、
ｂ．試料収集装置を収容するために使用されるように適合された試料収集装置ホルダーと、
ｃ．前記試料を採取すべき物品を収容するために、前記格納容器ホルダーと前記試料収集装置ホルダーとの間に設けられた試料除去領域と、
ｄ．前記試料収集装置ホルダーから試料収集装置を、前記物品から試料を取り除くように駆動して、格納容器内に押し込むように適合されたアクチュエーターと、
を保持する手持ち式本体と、
（ｉｉ）前記収集装置及び／又は前記格納容器に関連する識別情報（以下、「試料情報」）を取り込むように適合された試料識別リーダーと、
（ｉｉｉ）前記試料を採取すべき前記物品に関連する識別情報（以下、「物品ＩＤ」）を取り込むように適合された物品ＩＤリーダーと、
を備え、該システムは、
ａ．前記物品ＩＤを取り込むことと前記試料情報を取り込むこととの間、及び／又は、
ｂ．前記試料情報を取り込むことと前記物品ＩＤを取り込むこととの間、
の時間を測定し及び／又は記録して、該測定された及び／又は記録された時間を所定時間と比較するように構成され、前記測定された及び／又は記録された時間が前記所定時間を超える場合、聴覚、視覚及び触覚フィードバックのうちの少なくとも１つが該試料採取システムのユーザーに提供され、
前記試料識別リーダー及び前記物品ＩＤリーダーは、合わさって又は別々に、前記手持ち式本体及び手持ち式携帯型電子デバイスのうちの一方の一部を形成する、試料採取システム。
【国際調査報告】
2019510230.tif 000018
2019510230.tif 000019
2019510230.tif 000020
2019510230.tif 000021
2019510230.tif 000022
2019510230.tif 000023
2019510230.tif 000024
2019510230.tif 000025